(57)【要約】ワイヤレス通信に関する方法、システム、及びデバイスが説明される。基地局は、システム構成パラメタに基づいて物理ブロードキャストチャネル（ＰＢＣＨ）に関する反復レベルを選択し得る。ユーザ機器（ＵＥ）は、システム構成を識別し得る。例えば、ＵＥは、システム帯域幅を仮定し、制御領域サイズ  を仮定し、セルが時分割複信（ＴＤＤ）か又は周波数分割複信（ＦＤＤ）セルかを決定し得る。ＵＥはそれから、システム構成に基づいてＰＢＣＨ構成を決定し得る。例えば、ＰＢＣＨ反復レベルは、ＴＤＤ又はＦＤＤスキームが用いられるかどうか、のようなシステム構成に依存し得る。ＵＥはそれから、ＰＢＣＨ構成にしたがってＰＢＣＨ送信を受信し得る。異なるセルが異なるシステム構成を有する場合、ＵＥは、異なる反復レベル及び異なるリソースを使用して、異なるＰＢＣＨ構成を決定し、ＰＢＣＨを受信し得る。【選択図】図４
2017538340.tif 000002
【特許請求の範囲】
【請求項１】
ユーザ機器（ＵＥ）におけるワイヤレス通信の方法であって、
セルのシステム構成を識別することと、
前記システム構成に少なくとも部分的に基づいて、物理ブロードキャストチャネル（ＰＢＣＨ）構成を決定することと、
前記ＰＢＣＨ構成にしたがって、ＰＢＣＨ送信を受信することと、
を備える、方法。
【請求項２】
前記ＰＢＣＨ構成を決定することは、
前記識別されたシステム構成に少なくとも部分的に基づいて、ＰＢＣＨ反復の量を決定すること
を備える、請求項１に記載の方法。
【請求項３】
前記システム構成を識別することは、
時分割複信（ＴＤＤ）又は周波数分割複信（ＦＤＤ）スキームがシステムによって使用されているかどうかを識別することと、
ＰＢＣＨ構成は、前記ＴＤＤ又は前記ＦＤＤスキームが前記システムによって使用されているかどうかに少なくとも部分的に基づいて決定されることと、
を備える、請求項１に記載の方法。
【請求項４】
前記ＦＤＤスキームに関する第１のＰＢＣＨ反復量を決定することと、
前記ＴＤＤスキームに関する第２のＰＢＣＨ反復量を決定することと、ここにおいて、前記第２のＰＢＣＨ反復量は、前記第１のＰＢＣＨ反復量よりも大きい、
をさらに備える、請求項３に記載の方法。
【請求項５】
前記システム構成を識別することは、
システムのキャリアタイプを識別すること、前記システムに関する巡回プリフィックス（ＣＰ）タイプを識別すること、又はシステム帯域幅を仮定すること、
のうちの少なくとも１つを備え、
ここにおいて、前記ＰＢＣＨ構成は、前記キャリアタイプ、前記ＣＰタイプ、又は前記システム帯域幅に少なくとも部分的に基づいて決定される、
請求項１に記載の方法。
【請求項６】
前記ＰＢＣＨ送信を受信することは、
システム帯域幅に関わりなく、制御領域の仮定されたサイズに基づいてＰＢＣＨ検出を実行すること、
を備える、請求項１に記載の方法。
【請求項７】
前記制御領域の前記仮定されたサイズは、３シンボルである、請求項６に記載の方法。
【請求項８】
第２のセルの第２のシステム構成を識別することと、
前記第２のシステム構成に基づいて、第２のＰＢＣＨ構成を決定することと、ここにおいて、前記第２のＰＢＣＨ構成は、前記ＰＢＣＨ構成と異なる、および
前記第２のＰＢＣＨ構成に基づいて、第２のＰＢＣＨ送信を受信することと、
をさらに備える、請求項１に記載の方法。
【請求項９】
前記ＰＢＣＨ構成を決定することは、
前記ＵＥに関するカバレッジ拡張に少なくとも部分的に基づいて、ＰＢＣＨ構成を決定すること、
を備える、請求項１に記載の方法。
【請求項１０】
基地局におけるワイヤレス通信の方法であって、
セルのシステム構成を識別することと、
前記システム構成に少なくとも部分的に基づいて、物理ブロードキャストチャネル（ＰＢＣＨ）構成を決定することと、および
前記ＰＢＣＨ構成にしたがって、１つ又は複数のユーザ機器（ＵＥ）にＰＢＣＨ送信を送信することと、
を備える方法。
【請求項１１】
前記ＰＢＣＨ構成を決定することは、
前記識別されたシステム構成に少なくとも部分的に基づいて、ＰＢＣＨ反復の量を決定すること
を備える、請求項１０に記載の方法。
【請求項１２】
前記システム構成を識別することは、
時分割複信（ＴＤＤ）又は周波数分割複信（ＦＤＤ）スキームがシステムによって使用されているかどうかを識別することと、
前記ＰＢＣＨ構成は、前記ＴＤＤ又は前記ＦＤＤスキームが前記システムによって使用されているかどうかに少なくとも部分的に基づいて決定される、と
を備える、請求項１０に記載の方法。
【請求項１３】
前記ＦＤＤスキームに関する第１のＰＢＣＨ反復量を決定することと、および
前記ＴＤＤスキームに関する第２のＰＢＣＨ反復量を決定することと、ここにおいて、前記第２のＰＢＣＨ反復量は、前記第１のＰＢＣＨ反復量よりも大きい、
をさらに備える、請求項１２に記載の方法。
【請求項１４】
第２のセルの第２のシステム構成を識別することと、
前記第２のシステム構成に基づいて、第２のＰＢＣＨ構成を決定することと、ここにおいて、前記第２のＰＢＣＨ構成は、前記ＰＢＣＨ構成と異なる、
前記第２のＰＢＣＨ構成に少なくとも部分的に基づいて、前記第２のＰＢＣＨ送信を送信することと、
をさらに備える、請求項１０に記載の方法。
【請求項１５】
前記ＰＢＣＨ構成を決定することは、
１つ又は複数の前記ＵＥに関するカバレッジ拡張に少なくとも部分的に基づいて、前記ＰＢＣＨ構成を決定すること
を備える、請求項１０に記載の方法。
【請求項１６】
ワイヤレス通信に関する装置であって、
セルのシステム構成を識別するための手段と、
前記システム構成に少なくとも部分的に基づいて、物理ブロードキャストチャネル（ＰＢＣＨ）構成を決定するための手段と、
前記ＰＢＣＨ構成にしたがって、ＰＢＣＨ送信を受信するための手段と、
を備える、装置。
【請求項１７】
前記ＰＢＣＨ構成を決定することは、
前記識別されたシステム構成に少なくとも部分的に基づいて、ＰＢＣＨ反復の量を決定すること、  を備える、請求項１２に記載の装置。
【請求項１８】
前記システム構成を識別することは、
時分割複信（ＴＤＤ）又は周波数分割複信（ＦＤＤ）スキームがシステムによって使用されているかどうかを識別することと、
前記ＰＢＣＨ構成は、前記ＴＤＤ又は前記ＦＤＤスキームが前記システムによって使用されているかどうかに少なくとも部分的に基づいて決定されることと、
を備える、請求項１２に記載の装置。
【請求項１９】
前記ＦＤＤスキームに関する第１のＰＢＣＨ反復量を決定するための手段と、  前記ＴＤＤスキームに関する第２のＰＢＣＨ反復量を決定するための手段と、ここにおいて、前記第２のＰＢＣＨ反復量は、前記第１のＰＢＣＨ反復量よりも大きい、
をさらに備える、請求項１８に記載の装置。
【請求項２０】
前記システム構成を識別するための前記手段は、
システムに関するキャリアタイプを識別するための手段、前記システムに関する巡回プリフィックス（ＣＰ）タイプを識別するための手段、又はシステム帯域幅を仮定するための手段のうちの少なくとも１つを備え、および
ここにおいて、前記ＰＢＣＨ構成は、前記キャリアタイプ、前記ＣＰタイプ、又は前記システム帯域幅に少なくとも部分的に基づいて決定される、
請求項１２に記載の装置。
【請求項２１】
前記ＰＢＣＨ送信を受信することは、
システム帯域幅に関わりなく、制御領域の仮定されたサイズに基づいてＰＢＣＨ検出を実行すること
を備える、請求項１２に記載の装置。
【請求項２２】
前記制御領域の前記仮定されたサイズは、３シンボルである、請求項２１に記載の装置。
【請求項２３】
第２のセルの第２のシステム構成を識別するための手段と、
前記第２のシステム構成に基づいて、第２のＰＢＣＨ構成を決定するための手段と、ここにおいて、前記第２のＰＢＣＨ構成は、前記ＰＢＣＨ構成と異なる、
前記第２のＰＢＣＨ構成に基づいて、第２のＰＢＣＨ送信を受信するための手段と、
をさらに備える、請求項１２に記載の装置。
【請求項２４】
前記ＰＢＣＨ構成を決定することは、
前記ＵＥに関するカバレッジ拡張に少なくとも部分的に基づいて、ＰＢＣＨ構成を決定すること
を備える、請求項１２に記載の装置。
【請求項２５】
ワイヤレス通信に関する装置であって、
セルのシステム構成を識別するための手段と、
前記システム構成に少なくとも部分的に基づいて、物理ブロードキャストチャネル（ＰＢＣＨ）構成を決定するための手段と、
前記ＰＢＣＨ構成にしたがって、１つ又は複数のユーザ機器（ＵＥ）にＰＢＣＨ送信を送信するための手段と、
を備える、装置。
【請求項２６】
前記ＰＢＣＨ構成を決定することは、
前記識別されたシステム構成に少なくとも部分的に基づいて、ＰＢＣＨ反復の量を決定すること
を備える、請求項１５に記載の装置。
【請求項２７】
前記システム構成を識別することは、
時分割複信（ＴＤＤ）又は周波数分割複信（ＦＤＤ）スキームがシステムによって使用されているかどうかを識別することと、
前記ＰＢＣＨ構成は、前記ＴＤＤ又は前記ＦＤＤスキームが前記システムによって使用されているかどうかに少なくとも部分的に基づいて決定されること、
とを備える、請求項１５に記載の方法。
【請求項２８】
前記ＦＤＤスキームに関する第１のＰＢＣＨ反復量を決定するための手段と、
前記ＴＤＤスキームに関する第２のＰＢＣＨ反復量を決定するための手段と、ここにおいて、前記第２のＰＢＣＨ反復量は、前記第１のＰＢＣＨ反復量よりも大きい、
をさらに備える、請求項２７に記載の装置。
【請求項２９】
第２のセルの第２のシステム構成を識別するための手段と、
前記第２のシステム構成に基づいて、第２のＰＢＣＨ構成を決定するための手段と、ここにおいて、前記第２のＰＢＣＨ構成は、前記ＰＢＣＨ構成と異なる、
前記第２のＰＢＨＣ構成に少なくとも部分的に基づいて、第２のＰＢＣＨ送信を送信するための手段と、
をさらに備える、請求項１５に記載の装置。
【請求項３０】
前記ＰＢＣＨ構成を決定することは、
１つ又は複数の前記ＵＥに関するカバレッジ拡張に少なくとも部分的に基づいて前記ＰＢＣＨ構成を決定すること、
を備える、請求項１５に記載の装置。
【発明の詳細な説明】
【優先権の主張】
【０００１】
[0001]本出願は、２０１５年１１月６日に提出された「カバレッジ拡張に関する物理ブロードキャストチャネル（Ｐｈｙｓｉｃａｌ  Ｂｒｏａｄｃａｓｔ  Ｃｈａｎｎｅｌ  ｆｏｒ  Ｃｏｖｅｒａｇｅ  Ｅｎｈａｎｃｅｍｅｎｔ）」と題されたＣｈｅｎ等による米国特許出願第１４／９３４，７３３号、及び２０１４年１１月１１日に提出された「カバレッジ拡張に関するＰＢＣＨ（ＰＢＣＨ  Ｆｏｒ  Ｃｏｖｅｒａｇｅ  Ｅｎｈａｎｃｅｍｅｎｔ）」と題された、Ｃｈｅｎ等による米国特許仮出願第６２／０７８，３０８号とに優先権を主張し、それぞれは譲受人に譲渡される。
【技術分野】
【０００２】
[0002]以下は、一般にワイヤレス通信に関し、より詳細には、カバレッジ拡張に関する物理ブロードキャストチャネル（ＰＢＣＨ）に関する。
【背景技術】
【０００３】
[0003]ワイヤレス通信システムは、ボイス、ビデオ、パケットデータ、メッセージング、ブロードキャストなどのような様々なタイプの通信コンテンツを提供するために広く展開されている。これらのシステムは、利用可能なシステムリソース（例えば、時間、周波数、及び電力）を共有することによってマルチプルな(multiple)ユーザとの通信をサポートすることが可能な多元接続システムであり得る。そのような多元接続システムの例は、コード分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システム、（例えば、ロングタームエボリューション（ＬＴＥ（登録商標））システム）を含む。
【０００４】
[0004]例として、ワイヤレス多元接続通信システムは、多数の基地局を含み得、各々は、マルチプルな通信デバイスに関する通信を同時にサポートし、それらは別名、ユーザ機器（ＵＥ）として知られ得る。基地局は、（例えば、基地局からＵＥへの送信に関する）複数のダウンリンクチャネル上で、及び（例えば、ＵＥから基地局への送信に関する）アップリンクチャネル上で、通信デバイスと通信し得る。
【０００５】
[0005]いくつかのケースでは、基地局は、複数のＵＥとの通信の品質を改善するためにカバレッジ拡張技術を利用し得る。例えば、複数のマシンタイプ通信（ＭＴＣ）デバイスのような、いくつかのＵＥは、低複雑度、低コスト、又は制限された無線性能を持つ自律(autonomously)機能のデバイスであり得る。複数の他のＵＥのために使用されるものと同じ反復レベルを使用するこれらのデバイスにシステム情報を送信することは、ロストパケット(lost packets)又はサービス中断の結果になり得る。
【発明の概要】
【０００６】
[0006]物理ブロードキャストチャネル(physical broadcast channel)（ＰＢＣＨ）のカバレッジ拡張に関するシステム、方法、及び装置が説明される。基地局は、複数のシステム構成パラメタに基づいてＰＢＣＨに関する反復レベルを選択し得る。ユーザ機器（ＵＥ）は、システム構成を識別し得る。例えば、ＵＥは、システム帯域幅を仮定し、制御領域サイズ  を仮定し、又はセルが時分割複信(a time divisional duplexing)（ＴＤＤ）の若しくは周波数分割複信(frequency divisional duplexing)（ＦＤＤ）のセルかを決定し得る。前記ＵＥは、それから、システムがＦＤＤの又はＴＤＤの動作のために構成されていかを、前記システム構成に基づいてＰＢＣＨ構成を決定し得る。ＰＢＣＨ反復レベルは、前記システム構成がＴＤＤ又はＦＤＤであるか否かに依存し得る。ＵＥは、ＰＢＣＨの構成にしたがってＰＢＣＨ送信を受信し得る。ある異なるセルが異なるシステム構成を有する場合、ＵＥは異なる反復レベル及び異なるリソースを使用して、異なるＰＢＣＨの構成を決定し、ＰＢＣＨを受信し得る。
【０００７】
[0007]ＵＥにおけるワイヤレス通信の方法が説明される。該方法は、セルのシステム構成を識別することと、該システム構成に少なくとも部分的に基づいてＰＢＣＨ構成を決定することと、及びＰＢＣＨの構成にしたがってＰＢＣＨ送信を受信することと、を含み得る。
【０００８】
[0008]ＵＥにおけるワイヤレス通信に関する装置が説明される。装置は、セルのシステム構成を識別するための手段と、システム構成に少なくとも部分的に基づいてＰＢＣＨ構成を決定するための手段と、ＰＢＣＨ構成にしたがってＰＢＣＨ送信を受信するための手段とを含み得る。
【０００９】
[0009]ＵＥにおけるワイヤレス通信に関するさらなる装置が説明される。該装置は、プロセッサ、該プロセッサと電子通信状態にあるメモリ、及びメモリ内に記憶された命令を含み得る。該命令は、装置に、セルのシステム構成を識別させ、該システム構成に少なくとも部分的に基づいてＰＢＣＨの構成を決定させ、及びＰＢＣＨの構成にしたがってＰＢＣＨ送信を受信させるように、プロセッサによって実行可能であり得る。
【００１０】
[0010]ＵＥにおいてワイヤレス通信に関するコードを記憶する非一時的なコンピュータ可読媒体が説明され。該コードは、セルのシステム構成を識別し、該システム構成に少なくとも部分的に基づいてＰＢＣＨの構成を決定し、該ＰＢＣＨの構成にしたがってＰＢＣＨ送信を受信することが実行可能な命令を含み得る。
【００１１】
[0011]ここで説明される方法、装置、又は非一時的なコンピュータ可読媒体のいくつかの例において、ＰＢＣＨ構成を決定することは、識別されたシステム構成に少なくとも部分的に基づいてＰＢＣＨ反復の量を決定することを含む。ここで説明される方法、装置、又は非一時的なコンピュータ可読媒体のいくつかの例において、システム構成を識別することは、ＴＤＤ又はＦＤＤのスキームがシステムによって使用されているかどうかを識別することを含み、およびＰＢＣＨ構成は、ＴＤＤの又はＦＤＤのスキームが該システムによって使用されているかどうかに少なくとも部分的に基づいて決定される。加えて又は代替として、いくつかの例は、ＦＤＤのスキームに関する第１のＰＢＣＨ反復量を決定することと、およびＴＤＤのスキームに関する第２のＰＢＣＨ反復量を決定することに関する命令、或いは手段、特徴を含むことができ、ここにおいて、第２のＰＢＣＨ反復量は、第１のＰＢＣＨ反復量より大きい。
【００１２】
[0012]上述される方法、装置、又は非一時的なコンピュータ可読媒体のいくつかの例において、システム構成を識別することは、システムに関するキャリアタイプを識別することを含み、およびＰＢＣＨの構成は、該識別されたキャリアタイプに少なくとも部分的に基づいて決定される。加えて又は代替として、いくつか例では、システム構成を識別することは、システムに関する巡回プリフィックス（ＣＰ）タイプを識別することを含み、及び該ＰＢＣＨの構成は、識別されたＣＰタイプに少なくとも部分的に基づいて決定される。
【００１３】
[0013]上述される方法、装置、又は非一時的なコンピュータ可読媒体のいくつかの例において、該システム構成を識別することは、システム帯域幅を仮定することを含み、及びＰＢＣＨの構成は、仮定されたシステム帯域幅に少なくとも部分的に基づいて決定される。加えて又は代替として、いくつかの例は、仮定されたシステム帯域幅に対応する制御領域に関するシンボルの数を決定することに関する特徴、手段、又は命令を含み得、ここにおいて、該ＰＢＣＨの構成は、制御領域に関するシンボルの数に少なくとも部分的に基づく。
【００１４】
[0014]上述される方法、装置、又は非一時的なコンピュータ可読媒体のいくつかの例において、仮定されたシステム帯域幅は１０個のリソースブロックより大きく、ＰＢＣＨの構成を決定することは、制御領域に関する３つのシンボルに少なくとも部分的に基づく。加えて又は代替として、いくつかの例において、仮定されたシステム帯域幅は、１０個より大きくないリソースブロックであり、ＰＢＣＨの構成を決定することは、制御領域に関する４つのシンボルに少なくとも部分的に基づく。
【００１５】
[0015]上述される方法、装置、又は非一時的なコンピュータ可読媒体のいくつかの例において、ＰＢＣＨ送信を受信することは、システム帯域幅に関わりなく、制御領域の仮定されたサイズに基づいて、ＰＢＣＨ検出を実行することを備える。加えて又は代替として、いくつかの例において、該制御領域の仮定されるサイズは、３つのシンボルである。いくつかの例において、制御領域の仮定されるサイズは、ゼロ（０）である。
【００１６】
[0016]加えて又は代替として、いくつかの例は、第２のセルの第２のシステム構成を識別することと、第２のシステム構成に基づいて第２のＰＢＣＨの構成を決定することを含むことができ、ここにおいて、該第２のＰＢＣＨの構成は、該ＰＢＣＨの構成と異なり、及び第２のＰＢＣＨの構成に基づいて第２のＰＢＣＨの送信を受信する。
【００１７】
[0017]上述される方法、装置、又は非一時的なコンピュータ可読媒体のいくつかの例において、ＰＢＣＨの構成を決定することは、ＵＥに関するカバレッジ拡張に少なくとも部分的に基づいてＰＢＣＨの構成を決定することを備える。加えて又は代替として、いくつかの例において、ＵＥは、マシンタイプの通信（ＭＴＣ）デバイスである。いくつかの例において、前記ＰＢＣＨの構成を決定することは、識別されたシステム構成に少なくとも部分的に基づいて、ＰＢＣＨ反復の量を決定することを備える。
【００１８】
[0018]基地局におけるワイヤレス通信の方法が説明される。該方法は、セルのシステム構成を識別することと、該システム構成に少なくとも部分的に基づいてＰＢＣＨ構成を決定することと、及びＰＢＣＨの構成にしたがって１つ又は複数のＵＥにあるＰＢＣＨの送信を送信することと、に関する特徴、手段、又は命令を含み得る。
【００１９】
[0019]基地局におけるワイヤレス通信に関する装置が説明される。該装置は、セルのシステム構成を識別するための手段と、システム構成に少なくとも部分的に基づいてＰＢＣＨ構成を決定するための手段と、該ＰＢＣＨ構成にしたがって１つ又は複数のＵＥにＰＢＨＣ送信を送信するための手段と、を含み得る。
【００２０】
[0020]基地局におけるワイヤレス通信に関するさらなる装置が説明される。該装置は、プロセッサ、プロセッサと電子通信中のメモリ、及び該メモリ内に記憶された複数の命令とを含み得る。該複数の命令は、該装置に、セルのシステム構成を識別させ、該システム構成に少なくとも部分的に基づいてＰＢＣＨ構成を決定させ、及び該ＰＢＣＨ構成にしたがって１つ又は複数のＵＥにＰＢＣＨ送信を送信させるように、プロセッサによって実行可能であり得る。
【００２１】
[0021]基地局におけるワイヤレス通信に関するコードを記憶する非一時的なコンピュータ可読媒体が説明される。該コードは、セルのシステム構成を識別し、該システム構成に少なくとも部分的に基づいてＰＢＣＨ構成を決定し、該ＰＢＣＨ構成にしたがって１つ又は複数のＵＥにＰＢＣＨ送信を送信することを実行可能な複数の命令を含み得る。
【００２２】
[0022]上述された方法、装置、又は非一時的なコンピュータ可読媒体のいくつかの例において、該ＰＢＣＨ構成を決定することは、識別されたシステム構成に少なくとも部分的に基づいてＰＢＣＨ反復の量を決定することを含む。上述される方法、装置、又は非一時的なコンピュータ可読媒体のいくつかの例において、該システム構成を識別することは、ＴＤＤ又はＦＤＤスキームが該システムによって使用されているかどうかを識別することを含み、そして該ＰＢＣＨ構成は、ＴＤＤ又はＦＤＤスキームが該システムによって使用されているかどうかに少なくとも部分的に基づいて決定される。加えて又は代替として、いくつかの例は、該ＦＤＤスキームに関する第１のＰＢＣＨ反復量を決定することと、ＴＤＤスキームに関する第２のＰＢＣＨ反復量を決定することとに関する特徴、手段或いは命令を含み得、ここにおいて、該第２のＰＢＣＨ反復量は、第１のＰＢＣＨ反復量より大きい。
【００２３】
[0023]上述される方法、装置、又は非一時的なコンピュータ可読媒体のいくつかの例において、該システム構成を識別することは、該システムに関するキャリアタイプ(carrier type)を識別することを含み、そして該ＰＢＣＨ構成は、該識別されたキャリアタイプに少なくとも部分的に基づいて決定される。加えて又は代替として、いくつかの例において、該システム構成を識別することは、該システムに関するＣＰタイプを識別することを含み、そして該ＰＢＣＨ構成は、識別されたＣＰタイプに少なくとも部分的に基づいて決定される。
【００２４】
[0024]上述される方法、装置、又は非一時的なコンピュータ可読媒体のいくつかの例において、該システム構成を識別することは、システム帯域幅を識別することを含み、そしてＰＢＣＨ構成は、システム帯域幅に少なくとも部分的に基づいて決定される。加えて又は代替として、いくつかの複数の例は、該システム帯域幅に対応する制御領域に関するシンボルの数を決定することに関する特徴、手段、又は命令を含み得、ここにおいて、該ＰＢＣＨ構成は、制御領域に関するシンボルの数に少なくとも部分的に基づく。
【００２５】
[0025]上述される方法、装置、又は非一時的なコンピュータ可読媒体のいくつかの例において、該システム帯域幅は、１０個のリソースブロックより大きく、そして制御領域に関する３シンボルに少なくとも部分的に基づいて該ＰＢＣＨ構成を決定すること。加えて又は代替として、いくつかの例において、該システム帯域幅は、１０個のリソースブロックより大きくなく、制御領域に関する４シンボルに少なくとも部分的に基づいて該ＰＢＣＨ構成を決定すること。
【００２６】
[0026]上述される方法、装置、又は非一時的なコンピュータ可読媒体のいくつかの例は、第２のセルの第２のシステム構成を識別することと、該第２のシステム構成に基づいて第２のＰＢＣＨ構成を決定することと、ここにおいて、該第２のＰＢＣＨ構成は、該ＰＢＣＨ構成と異なり、および該第２のＰＢＣＨ構成に少なくとも部分的に基づいて第２のＰＢＣＨ送信を送信することに関いる特徴、手段、又は命令をさらに含み得る。加えて又は代替として、いくつかの例において、該ＰＢＣＨ構成を決定することは、１つ又は複数のＵＥに関するカバレッジ拡張に少なくとも部分的に基づいて該ＰＢＣＨ構成を決定することを備える。
【００２７】
[0027]上述される方法、装置、又は非一時的なコンピュータ可読媒体のいくつかの例において、１つ又は複数のＵＥは、ＭＴＣデバイスである。いくつかの例において、該ＰＢＣＨ構成を決定することは、該識別されたシステム構成に少なくとも部分的に基づいてＰＢＣＨ反復の量を決定することを備える。
【００２８】
[0028]前述は、後述する詳細な説明がよりよく理解され得るように開示に従う例の複数の特徴及び技術的利点をむしろ広く概説している。さらなる特徴及び利点が以下に説明されるであろう。開示される概念及び特定の例は、本開示の同じ目的を遂行することに関する他の構造を修正又は設計することの基礎として容易に利用され得る。そのような等価な構造は、添付の特許請求の範囲の範囲から逸脱しない。ここに開示される概念の特徴、それらの組織及び操作の方法の両方は、関連すると特徴とともに、付随する図との結び付けにおいて考慮されるときに、後続する説明からより良く理解されるであろう。図の各々は、図示及び説明の目的のために提供され、特許請求の範囲の限定の定義としては提供されない。
【００２９】
[0029]本開示の性質及び利点のさらなる理解は、後続の図面を言及することによって実現され得る。添付の図では、同様のコンポーネント又は特徴は、同じ言及ラベルを有し得る。なお、同じタイプの様々なコンポーネントは、言及ラベルに、ダッシュと、同様のコンポーネント間を区別する第２のラベルとを後続させることによって区別され得る。本明細書中で第１の言及ラベルのみが使用される場合、その説明は、第２の言及ラベルに関係なく同じ第１の言及ラベルを有する同様のコンポーネントのいずれか１つに適用可能である。
【図面の簡単な説明】
【００３０】
【図１】[0030]図１は、本開示の様々な態様にしたがう、カバレッジ拡張に関する物理ブロードキャストチャネル（ＰＢＣＨ）をサポートするワイヤレス通信システムの例を図示する。
【図２】[0031]図２は、本開示の様々な態様にしたがう、ＰＢＣＨカバレッジ拡張をサポートするワイヤレス通信システムの例を図示する。
【図３Ａ】[0032]図３Ａは、本開示の様々な態様にしたがう、ＰＢＣＨ反復に関するＲＥを伴うインデックス０のサブフレームに関するＦＤＤリソースブロックペアの例を図示する。
【図３Ｂ】[0033]図３Ｂは、本開示の様々な態様にしたがう、ＰＢＣＨ反復に関するＲＥを伴うインデックス０のサブフレームに関するＴＤＤリソースブロックペアの例を図示する。
【図３Ｃ】[0034]図３Ｃは、本開示の様々な態様にしたがう、ＰＢＣＨ反復に関するＲＥを伴うインデックス５のサブフレームに関するＦＤＤリソースブロックペアの例を図示する。
【図３Ｄ】[0035]図３Ｄは、本開示の様々な態様にしたがう、ＰＢＣＨ反復に関するＲＥを伴うインデックス５のサブフレームに関するＴＤＤリソースブロックペアの例を図示する。
【図４】[0036]図４は、本開示の様々な態様にしたがう、ＰＢＣＨカバレッジ拡張をサポートするシステムに関する処理フローの例を図示する。
【図５】[0037]図５は、本開示の様々な態様にしたがう、ＰＢＣＨカバレッジ拡張をサポートするユーザ機器（ＵＥ）デバイスのブロックダイアグラムを示す。
【図６】[0038]図６は、本開示の様々な態様にしたがう、ＰＢＣＨカバレッジ拡張をサポートするＵＥのブロックダイアグラムを示す。
【図７】[0039]図７は、本開示の様々な態様にしたがう、ＰＢＣＨカバレッジ拡張をサポートする拡張型ＰＢＣＨモジュールのブロックダイアグラムを示す。
【図８】[0040]図８は、本開示の様々な態様にしたがう、ＰＢＣＨカバレッジ拡張をサポートする、ＵＥを含む、システムのブロックダイアグラムを図示する。
【図９】[0041]図９は、本開示の様々な態様にしたがう、ＰＢＣＨカバレッジ拡張をサポートする基地局のブロックダイアグラムを示す。
【図１０】[0042]図１０は、本開示の様々な態様にしたがう、ＰＢＣＨカバレッジ拡張をサポートする基地局のブロックダイアグラムを示す。
【図１１】[0043]図１１は、本開示の様々な態様にしたがう、ＰＢＣＨカバレッジ拡張をサポートする基地局拡張型ＰＢＣＨモジュールのブロックダイアグラムを示す。
【図１２】[0044]図１２は、本開示の様々な態様にしたがう、ＰＢＣＨカバレッジ拡張をサポートする、基地局を含む、システムのブロックダイアグラムを図示する。
【図１３】[0045]図１３は、本開示の様々な態様にしたがう、ＰＢＣＨカバレッジ拡張に関する方法を図示するフローチャートを示す。
【図１４】[0046]図１４は、本開示の様々な態様にしたがう、ＰＢＣＨカバレッジ拡張に関する方法を図示するフローチャートを示す。
【図１５】[0047]図１５は、本開示の様々な態様にしたがう、ＰＢＣＨカバレッジ拡張に関する方法を図示するフローチャートを示す。
【図１６】[0048]図１６は、本開示の様々な態様にしたがう、ＰＢＣＨカバレッジ拡張に関する方法を図示するフローチャートを示す。
【図１７】[0049]図１７は、本開示の様々な態様にしたがう、ＰＢＣＨカバレッジ拡張に関する方法を図示するフローチャートを示す。
【図１８】[0050]図１８は、本開示の様々な態様にしたがう、ＰＢＣＨカバレッジ拡張に関する方法を図示するフローチャートを示す。
【発明を実施するための形態】
【００３１】
[0051]いくつかのワイヤレスシステムは、マシン・ツー・マシン（Ｍ２Ｍ）通信又はマシンタイプ通信（ＭＴＣ）として知られる自動化された通信を提供し得る。Ｍ２Ｍ又はＭＴＣは、人間の介入なく通信するユーザ機器（ＵＥ）のような、技術又はデバイスに言及し得る。いくつかの場合、ＭＴＣデバイスは、制限された性能を有し得る。例えば、いくつかのＭＴＣは、広帯域容量を有し得るが、他のＭＴＣデバイスは、狭帯域通信に制限され得る。この狭帯域制限は、例えば、基地局によって供される十分な帯域幅を使用して制御チャネル情報を受信するためのＭＴＣデバイスの能力と干渉する(interfere with)ことができる。ロングタームエボリューション（ＬＴＥ）通信標準にしたがって構成されるシステムのような、いくつかのワイヤレス通信システムでは、制限された帯域幅性能を持つＭＴＣデバイス（又は同様の性能をもつ他のデバイス）は、カテゴリ０のデバイスと称され得る。
【００３２】
[0052]いくつかの場合では、ＭＴＣデバイスは、減少されたピークデータレート（例えば、最大輸送ブロックサイズが１０００ビットであり得る）を有し得る。加えて、ＭＴＣデバイスは、ランク１の送信性能、及び受信に関する１つのアンテナを有し得る。これは、半複信通信（すなわち、該デバイスは同時に送信する及び受信する性能を有しない場合がある）にＭＴＣデバイスを制限し得る。ＭＴＣデバイスが半複信である場合、それは（例えば、送信（Ｔｘ）から受信（Ｒｘ）への、又はその逆の）切り替え時間を緩和し得る。例えば、ＭＴＣデバイスに関する切り替え時間が１ｍｓであり得るが、非―ＭＴＣデバイスに関する名目上の切り替え時間は、２０μｓであり得る。ワイヤレスシステム内のＭＴＣ拡張（ｅＭＴＣ）は、狭帯域ＭＴＣデバイスがより大きいシステム帯域幅動作（例えば、１．４／３／５／１０／１５／２０ＭＨｚ）において効果的に動作することを可能にし得る。例えば、ＭＴＣデバイスは、１．４ＭＨｚ帯域幅（すなわち、６リソースブロック）をサポートし得る。いくつかの例において、そのようなＭＴＣデバイスのカバレッジ拡張は、例えば、最大１５ｄＢに至る出力増大(power boosting)によって達成され得る。
【００３３】
[0053]本開示にしたがって、基地局は、複数のシステム構成パラメタに基づいてＰＢＣＨに関する反復レベルを選択し得る。ＭＴＣデバイスのような、あるＵＥはシステム構成を識別し得る。例えば、該ＵＥは、システム帯域幅を仮定し得、制御領域サイズを仮定し得、若しくは該セルが時分割複信（ＴＤＤ）か周波数分割複信（ＦＤＤ）セルかを決定し得、又はＵＥはこれらのことの各々を為し得る。該ＵＥはそれから、システム構成に基づいて、ＰＢＣＨの構成を決定し得る。例えば、ＰＢＣＨ反復レベルは、システム構成に依存し得る。該ＵＥはそれから、該ＰＢＣＨ構成にしたがってＰＢＣＨ送信を受信し得る。異なるセルが異なるシステム構成を有する場合、該ＵＥは、ある異なる反復レベル及び複数の異なるリソースを使用してＰＢＣＨを受信し、異なるＰＢＣＨ構成を決定し得る。
【００３４】
[0054]後続の説明は、例を提供し、特許請求の範囲内に記載される複数の例、適用性(applicability)、又は該範囲(scope)を限定するものではない。複数の変化は、開示の範囲から離れることなく、議論される複数の要素の配置及び機能内でなされ得る。様々な例が、適切に様々な手順又はコンポーネントを追加し、置換し、又は除外し得る。例として、説明される方法は、説明されるものと異なる順番で実行され得、様々なステップが追加され、除外され、又は組み合され得る。また、いくつかの例に関して説明される特徴は、他の例と組み合され得る。
【００３５】
[0055]図１は、本開示の様々な観点にしたがってワイヤレス通信システム１００の例を示す。該システム１００は、基地局１０５、複数のＵＥ１１５、及びコアネットワーク１３０を含む。該コアネットワーク１３０は、ユーザ認証、アクセス認証、トラッキング、インターネットプロトコル（ＩＰ）接続性、及び他のアクセス、ルーティング、又はモビリティ機能を提供し得る。基地局１０５は、複数のバックホールリンク(backhaul links)１３２（例えば、Ｓ１、等）を介して該コアネットワーク１３０とインタフェースする。基地局１０５は、複数のＵＥ１１５との通信に関する無線構成及びスケジューリングを実行し得、又は（図示されない）基地局コントローラの制御下において動作し得る。様々な例において、基地局１０５は（例えば、コアネットワーク１３０を介して）直接的又は間接的のいずれかで、バックホールリンク１３４（例えば、Ｘ１、等）を通じて互いに通信し得、それは、有線又はワイヤレス通信リンクであり得る。
【００３６】
[0056]基地局１０５は、１つ又は複数の基地局アンテナを介して該ＵＥ１１５とワイヤレスに通信し得る。基地局１０５の各々は、それぞれの地理的カバレッジエリア１１０に関する通信カバレッジを提供し得る。いくつかの例において、基地局１０５は、ベース(base)のトランシーバ局、無線基地局、アクセスポイント、無線トランシーバ、ノードＢ、ｅノードＢ（ｅＮＢ）、ホームノードＢ、ホームｅノードＢ、又はいくつかの他のふさわしい専門用語として称され得る。基地局１０５に関する地理的カバレッジエリア１１０は、（図示されない）カバレッジエリアの部分を作り上げる複数のセクタに分割され得る。ワイヤレス通信システム１００は、異なるタイプの基地局（例えば、マクロ又は小さいセル基地局）を含み得る。異なる技術に関するオーバーラッピングする(overlapping)地理的カバレッジエリア１１０があり得る。
【００３７】
[0057]いくつかの例において、ワイヤレス通信システム１００は、ロングタームエボリューション（ＬＴＥ）／ＬＴＥ−Ａｄｖａｎｃｅｄ（ＬＴＥ−Ａ）ネットワークである。ＬＴＥ／ＬＴＥ−Ａネットワークでは、用語ＵＥは、ＵＥ１１５を記述するために一般的に使用され得るが、進化型ノードＢ（ｅＮＢ）という用語は、基地局１０５を記述するために一般的に使用され得る。ワイヤレス通信システム１００は、ｅＮＢの異なるタイプが様々な地理的領域に関するカバレッジを提供する異種のＬＴＥ／ＬＴＥ−Ａネットワークであり得る。例えば、ｅＮＢ又は基地局１０５の各々は、マクロセル、小さいセル、又は他のタイプのセルに関する通信カバレッジを提供し得る。用語「セル」は、文脈に依存して基地局又はキャリアのカバレッジエリア（例えば、セクタ、等）、或いは基地局に関連するコンポーネントキャリア或いはキャリア、基地局を記述するために使用されることができる３ＧＰＰ（登録商標）用語である。
【００３８】
[0058]マクロセルは、相対的に大きい地理的エリア（例えば、半径数キロメータ）を一般的にカバーし、そしてネットワークプロバイダとのサービス加入を持つ複数のＵＥ１１５による無制限のアクセスを許可し得る。
小さいセルは、マクロセルと比較して、低電力基地局であり、それはマクロセルと同じ又は異なる（例えば、認可された、未認可の、等）周波数幅において動作し得る。小さい(small)セルは、様々な例にしたがって、ピコセル、フェムトセル、及びマイクロセルを含み得る。ピコセルは、例えば、小さい地理的エリアをカバーし得、そしてネットワークプロバイダとのサービス加入を持つ複数のＵＥ１１５による無制限のアクセスを許可し得る。フェムトセルはまた、小さい地理的エリア（例えば、ホーム）をカバーし得、そしてフェムトセル（例えば、クローズド加入者グループ（ＣＳＧ）内の複数のＵＥ１１５、該ホーム内の複数のユーザに関する複数のＵＥ１１５、及び同種のもの）との関連を有する複数のＵＥ１１５による限定されたアクセスを提供し得る。マクロセルに関するｅＮＢは、マクロｅＮＢと称され得る。小さいセルに関するｅＮＢは、小さいセルｅＮＢ、ピコｅＮＢ、フェムトｅＮＢ、又はホームｅＮＢと称され得る。あるｅＮＢは、１又は複数の（例えば、２、３、４、及び同種のもの）セル（例えば、コンポーネントキャリア）をサポートし得る。
【００３９】
[0059]ワイヤレス通信システム１００は、同期又は非同期動作をサポートし得る。同期動作に関して、該基地局１０５は、類似のフレームタイミングを有し得、そして異なる複数の基地局１０５からの送信は、適切に時系列であり得る。非同期動作に関して、複数の基地局１０５は、異なるフレームタイミングを有し得、そして異なる複数の基地局１０５からの送信は、時系列ではない場合がある。ここで説明される技術は、同期又は非同期動作に関して使用され得る。
【００４０】
[0060]開示される様々な例のいくつかに適合し得る通信ネットワークは、レイヤードプロトコルスタックにしたがって動作するパケットベースのネットワークであり得、そしてユーザプレーン内のデータはＩＰに基づき得る無線リンク制御（ＲＬＣ）レイヤは、論理チャネルで通信するためにパケット分割及び再構築を実行し得る。媒体アクセス制御（ＭＡＣ）レイヤは、複数の輸送チャネル内の複数の論理チャネルの複信化と優先処理複信を実行し得る。該ＭＡＣレイヤはまた、リンク効率を改善するためにＭＡＣレイヤでの再送を提供するためのハイブリッド自動再送要求（ＨＡＲＱ）を使用し得る。制御プレーンでは、無線リソース制御（ＲＲＣ）プロトコルレイヤは、ＵＥ１１５と基地局１０５との間のＲＲＣ接続の確立、構成、及び維持を提供し得る。ＲＲＣプロトコルレイヤはまた、ユーザプレーンデータに関する無線ベアラのコアネットワーク１３０サポートのために使用され得る。物理（ＰＨＹ）レイヤにおいて、複数の輸送チャネルは、物理チャネルにマップされ得る。
【００４１】
[0061]該複数のＵＥ１１５は、ワイヤレス通信システム１００全体にわたって分布し得、そして各ＵＥ１１５は、固定又はモバイルであり得る。あるＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、若しくはいくつかの他のふさわしい専門用語として当業者によって称され得、又は含み得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、又は同種のもの、であり得る。ＵＥは、マクロｅＮＢ、小さいセルｅＮＢ、リレー基地局、及び同種のもの、を含むネットワーク機器及び基地局の様々なタイプと通信することができ得る。
【００４２】
[0062]いくつかのＵＥ１１５は、機械の自動化された動きを可能にするため、又は情報を収集するため、に設計されるようなＭＴＣデバイスであり得る。ＭＴＣデバイスに関するアプリケーションの例は、スマート計測、在庫監視、推移監視、機器監視、ヘルスケア監視、野生生物監視、天気及び地質学的イベントの監視、フリート管理及び追跡、遠隔セキュリティセンシング、物理アクセス制御、及び取引ベースのビジネス課金を含む。ＭＴＣデバイスは、低下したピークレートにおける半複信（一方向の）通信を使用して動作し得る。ＭＴＣデバイスはまた、能動的通信に寄与しない場合、省電力の「ディープスリープ」モードに入るように構成され得る。いくつかのＵＥ１１５は、カバレッジ拡張技術を使用して基地局１０５と通信し得、ここにおいて、カバレッジ拡張技術は、ＰＢＣＨ反復を含む。
【００４３】
[0063]ワイヤレス通信システム１００に示される通信リンク１２５は、ＵＥ１１５から基地局１０５へのアップリンク（ＵＬ）送信、又は基地局１０５からＵＥ１１５への、ダウンリンク（ＤＬ）送信を含み得る。アップリンク送信がまた逆方向リンク（reverse link）送信と呼ばれ得る一方、ダウンリンク送信はまた、順方向リンク（forward link）送信と呼ばれ得る。各通信リンク１２５は、１つ又は複数のキャリアを含み得、ここにおいて、各キャリアは、上述される様々な無線技術にしたがって変調される複数のサブキャリア（例えば、異なる周波数の波形信号）で構成されている信号であり得る。変調された信号の各々は、異なるサブキャリア上で発送され得、制御情報（例えば、言及信号、制御チャネル、等）、オーバヘッド情報、ユーザデータ、等、を搬送し得る。
【００４４】
[0064]キャリアは、（例えば、対となるスペクトルリソースを使用する）ＦＤＤ、又は（例えば、対となっていないスペクトルリソースを使用する）ＴＤＤ動作を使用して双方向通信を送信し得る。ＦＤＤ（例えば、フレーム構造のタイプ“１”）に関するフレーム構造、及びＴＤＤ（例えば、フレーム構造のタイプ“２”）は、定義され得る。ＴＤＤフレーム構造のために、各サブフレームは、ＵＬ又はＤＬトラフィックを搬送し得、特別なサブフレームは、ＤＬ及びＵＬ送信間を切り替えるために使用され得る。無線フレーム内のＵＬ及びＤＬサブフレームの割り振りは、対称的又は非対称的であり得、そして静的に決定され得又は半静的に再構成され得る。特別なサブフレームは、ＤＬ又はＵＬトラフィックを搬送し得、そしてＤＬ及びＵＬトラフィック間の保護期間（ＧＰ）を含み得る。ＵＬからＤＬトラフィックへ切り替えることは、特別なサブフレーム又は保護期間を使用することなくＵＥ１１５に対して事前にタイミングを設定することによって達成され得る。フレーム期間（例えば、１０ｍｓ）又はフレーム期間の半分（例えば、５ｍｓ）と等しい切り替えポイント周期性を伴うＵＬ−ＤＬ構成はまた、サポートされ得る。
【００４５】
[0065]例えば、ＴＤＤフレームは、１つ又は複数の特別なフレームを含み得、特別なフレーム間の期間は、フレームに関するＴＤＤ  ＤＬとＵＬの（DL-to-UL）切り替えポイント周期性を決定し得る。ＴＤＤの使用は、対となるＵＬ−ＤＬスペクトルリソースを要することなく柔軟な配置を提供する。いくつかのＴＤＤネットワーク配置では、干渉は、ＵＬ及びＤＬ通信間（例えば、異なる基地局からのＵＬ及びＤＬ通信間の干渉、基地局及びＵＥからのＵＬ及びＤＬ通信間の干渉、等）で引き起こされ得る。例えば、異なる基地局１０５が、異なるＴＤＤ  ＵＬ−ＤＬ構成にしたがって重なり合うカバレッジエリア内にいる異なるＵＥ１１５の役割を果たす場合、供給基地局１０５からのＤＬ送信を受信し、デコードしようと試みるＵＥ１１５は、ＵＥ１１５の近くに位置される、他からのＵＬ送信による干渉を経験することができる。いくつかの場合では、例えば、ＴＤＤ又はＦＤＤスキームが用いられる、フレーム構造は、システム構成と称され得、ＰＢＣＨ構成に作用し得る。
【００４６】
[0066]システム１００のいくつかの例において、基地局１０５又はＵＥ１１５は、基地局１０５とＵＥ１１５との間の信頼性及び通信品質を改善するためのアンテナダイバーシティスキームを用いるための複数のアンテナを含み得る。加えて又は代替として、基地局１０５又はＵＥ１１５は、同じ又は異なるコード化されたデータを搬送する複数の空間レイヤを送信するためにマルチパス環境を利用し得る複数入力複数出力（ＭＩＭＯ）技術を用い得る。
【００４７】
[0067]ワイヤレス通信システム１００は、複数のセル又はキャリア上の動作をサポートし得、そしてこの特徴において、キャリアアグリゲーション（ＣＡ）又はマルチキャリア動作と称され得る。キャリアはまた、コンポーネントキャリア（ＣＣ）、レイヤ、チャネル、等と称され得る。「キャリア」、「コンポーネントキャリア」、「セル」、及び「チャネル」という用語は、ここでは交換可能に使用され得る。ＵＥ１１５は、キャリアアグリゲーションのために複数のダウンリンクＣＣ及び１つ又は複数のアップリンクＣＣで構成され得る。キャリアアグリゲーションは、ＦＤＤ及びＴＤＤコンポーネントキャリアのどちらも使用され得る。
【００４８】
[0068]データは、論理チャネル、輸送チャネル、及び物理レイヤチャネルに分割され得る。ＤＬ物理チャネルは、ブロードキャスト情報に関するＰＢＣＨ、制御フォーマット情報に関する物理制御フォーマットインジケータチャネル（ＰＣＦＩＣＨ）、制御及びスケジューリング情報に関する物理ダウンリンク制御チャネル（ＰＤＣＣＨ）、ＨＡＲＱステータスメッセージに関するＰＨＩＣＨ、ユーザデータに関する物理ダウンリンク共有チャネル（ＰＤＳＣＨ）、及びマルチキャストデータに関する物理マルチキャストチャネル（ＰＭＣＨ）を含み得る。ＵＬ物理チャネルは、アクセスメッセージに関する物理ランダムアクセスチャネル（ＰＲＡＣＨ）、制御データに関する物理アップリンク制御チャネル（ＰＵＣＣＨ）、及びユーザデータに関する物理アップリンク共有チャネル（ＰＵＳＣＨ）を含み得る。
【００４９】
[0069]ＬＴＥにおける時間間隔は、基本時間単位（例えば、サンプリング期間、Ｔｓ＝１／３０，７２０，０００秒）の倍数で表され得る。時間リソースは、１０ｍｓの長さの無線フレーム（Ｔｆ＝３０７２００Ｔｓ）にしたがって組織され得、ここにおいて、“０”から“１０２３”までのＳＦＮレンジングによって識別され得る。各フレームは、“０”から“９”まで番号づけられた１０個の１ｍｓのサブフレームを含み得る。サブフレームは、２つの０．５ｍｓのスロットにさらに分割され得、この各々において、６又は７つの（各シンボルに追加される巡回プリフィックスの長さに依存する）変調シンボル期間を包含する。巡回プリフィックスを除いて、各シンボルは、２０４８のサンプル期間を包含する。いくつかの場合ではサブフレームは、最小のスケジューリング単位であり得、送信時間間隔（ＴＴＩ）としても知られ得る。他の場合では、ＴＴＩは、サブフレームより短くなり得、又は（例えば、短いＴＴＩバーストで、又は短いＴＴＩｓを使用して選択されるコンポーネントキャリアにおいて）動的に選択され得る。
【００５０】
[0070]ＬＴＥシステムは、ＤＬ上でＯＦＤＭＡを、及びＵＬ上で単一キャリア周波数分割多元接続（ＳＣ−ＦＤＭＡ）を利用し得る。ＯＦＤＭＡ及びＳＣ−ＦＤＭＡは、システム帯域幅を複数（Ｋ個）の直交サブキャリアに区分し、それらは、トーン又はビンとも一般に称される。各サブキャリアは、データで変調され得る。隣接サブキャリア間の間隔は、固定され得、サブキャリアの総数（Ｋ個）は、システム帯域幅に依存し得る。例えば、Ｋは、１．４、３、５、１０、１５、又は２０メガヘルツ（ＭＨｚ）の（保護帯域を伴う）対応するシステム帯域幅に対して、それぞれ、１５キロヘルツ（ＫＨｚ）のサブキャリア間隔により７２、１８０、３００、６００、９００、又は１２００に等しくなり得る。システム帯域幅はまた、サブ帯域に区分され得る。例えば、サブ帯域は、１．０８ＭＨｚをカバーし得、１、２、４、８、又は１６個のサブ帯域が存在し得る。
【００５１】
[0071]フレーム構造は、物理リソースを組織するために使用され得る。フレームは、１０個の等しいサイズのサブフレームにさらに分割され得る１０ｍｓ間隔であり得る。各サブフレームは、２つの連続的なタイムスロットを含み得る。各スロットは、６又は７つのＯＦＤＭＡシンボル期間を含み得る。リソース要素（ＲＥ）は、１つのシンボル期間及び１つのサブキャリア（１５ＫＨｚ周波数範囲）からなる。リソースブロック（ＲＢ）は、周波数領域内の１２個の連続的なサブキャリア、及び、各ＯＦＤＭシンボル内の通常の巡回プリフィックスに関する、時間領域（１スロット）内の７個の連続的なＯＦＤＭシンボル、すなわち８４個のリソース要素、を包含し得る。いくつかのリソース要素は、ＤＬ参照信号（ＤＬ−ＲＳ）を含み得る。ＤＬ−ＲＳは、ＣＲＳ及び特定ＵＥ向けのＲＳ（ＵＥ−ＲＳ）を含み得る。ＵＥ−ＲＳは、ＰＤＳＣＨに関連付けられるリソースブロック上で送信され得る。各リソース要素によって搬送されるビットの数は、変調スキーム（各シンボル期間の際に選択され得るシンボルの構成）に依存し得る。このため、ＵＥが受信するリソースブロックがより大きく、変調スキームがより高度であるほど、データレートはＵＥのためにより高くなり得る。
【００５２】
[0072]ワイヤレスネットワークにアクセスしようと試みるＵＥ１１５は、基地局１０５から一次同期信号（ＰＳＳ）を検出することによって初期セル探索を実行し得る。ＰＳＳは、スロットタイミングの同期を可能にし得、物理レイヤ同一性値を示し得る。ＵＥ１１５はそれから、二次同期信号（ＳＳＳ）を受信し得る。ＳＳＳは、無線フレーム同期を可能にし得、セル同一性値を提供し得、それは、セルを識別するため物理レイヤ同一性値と組み合わされ得る。ＳＳＳはまた、複信化モード及び巡回プリフィックス長の検出を可能にし得る。いくつかのシステム、ＴＤＤシステムのような、は、ＳＳＳを送信し得るが、ＰＳＳを送信しない場合がある。ＰＳＳ及びＳＳＳの両方は、それぞれキャリアの中央の６２及び７２のサブキャリアに位置され得る。ＰＳＳ及びＳＳＳを受信した後、ＵＥ１１５は、ＭＩＢを受信し得、それは、ＰＢＣＨ内で送信され得る。ＭＩＢは、システム帯域幅情報、ＳＦＮ、及びＰＨＩＣＨ構成を包含し得る。ＭＩＢをデコードした後、ＵＥ１１５は、１つ又は複数のＳＩＢｓを受信し得る。例えば、ＳＩＢ１は、他のＳＩＢｓに関するスケジューリング情報、及びセルアクセスパラメタを包含し得る。ＳＩＢ１をデコードすることは、ＵＥ１１５がＳＩＢ２を受信することを可能にし得る。ＳＩＢ２は、ＲＡＣＨ手順、ページング、ＰＵＣＣＨ、ＰＵＳＣＨ、電力制御、ＳＲＳ、及びセルバーリング（cell barring）に関連するＲＲＣ構成情報を包含し得る。
【００５３】
[0073]初期セル同期が完了した後、ＵＥ１１５は、ネットワークにアクセスすることに先立ちマスタ情報ブロック（ＭＩＢ）、システム情報ブロックＳＩＢ１及びＳＩＢ２をデコードし得る。ＭＩＢは、ＰＢＣＨ上で送信され得、ある例において、各無線フレームの最初のサブフレームの２番目のスロットの最初の４つの直交周波数分割多元接続（ＯＦＤＭＡ）シンボルを利用し得る。ＰＢＣＨはまた、２番目のスロットサブフレーム１、２、及び３の最初の４つのシンボル内で送信され得る。ＰＢＣＨは、周波数領域内の中間の６つのリソースブロック（ＲＢ）（７２サブキャリア）を使用し得る。ＭＩＢは、ＵＥ初期アクセスために、ＲＢに関するチャネル帯域幅、物理ＨＡＲＱ指示チャネル（ＰＨＩＣＨ）構成（デュレーション及びリソース割当て）、及びシステムフレーム番号（ＳＦＮ）を含む、少々の重要な情報を搬送する。新たなＭＩＢは、４番目の無線フレーム毎（ＳＦＮ  ｍｏｄ  ４＝０）に、向けて、ブロードキャストされ得、フレーム毎（１０ｍｓ）に再ブロードキャストされ得る。各反復は、異なるスクランブリングコードでスクランブルされ得る。
【００５４】
[0074]ＭＩＢ（新しいバージョン又はコピーのいずれか）を読んだ後、ＵＥ１１５は、成功した巡回冗長検査（ＣＲＣ）検査を得るまでスクランブリングコードの異なる位相を試みることができ得る。スクランブリングコードの位相（０、１、２、又は３）は、ＵＥ１１５が、４つの反復のうちのどれが受信されたかを識別することを可能にし得る。このため、ＵＥ１１５は、デコードされた送信内のＳＦＮを読むこと、及びスクランブリングコード位相を追加することによって現在のＳＦＮを決定し得る。ＭＩＢを受信した後、ＵＥは、１つ又は複数のＳＩＢを受信し得る。異なるＳＩＢは、伝達されるシステム情報のタイプにしたがって定義され得る。
【００５５】
[0075]本開示にしたがって、基地局は、システム構成パラメタに基づいてＰＢＣＨに関する反復レベルを選択し得る。ＵＥは、ＭＴＣデバイスのように、システム構成を識別し得る。例えば、ＵＥは、システム帯域幅を仮定し、制御領域サイズを仮定し、セルがＴＤＤか又はＦＤＤセルかを決定し得る。ＵＥはそれから、システム構成に基づいてＰＢＣＨ構成を決定し得る。例えば、ＰＢＣＨ反復レベルは、システム構成に依存し得る。いくつかの例において、及び以下に詳細に説明されるように、ＰＢＣＨは、ＰＢＣＨ反復レベルに依存する特定のサブフレームの２番目のスロットの最初の４つのシンボルよりもＯＦＤＭＡシンボルを利用し得る。ＵＥはそれから、ＰＢＣＨ構成にしたがってＰＢＣＨ送信を受信し得る。異なるセルが異なるシステム構成を有する場合、ＵＥは、異なる反復レベル及び異なるリソースを使用して、異なるＰＢＣＨ構成を決定し、ＰＢＣＨを受信し得る。
【００５６】
[0076]図２は、本開示の様々な観点にしたがう、ＰＢＣＨカバレッジ拡張をサポートするワイヤレス通信システム２００の例を図示する。ワイヤレス通信システム２００は、基地局１０５−ａのカバレッジエリア内に位置されたＵＥ１１５−ａを含み得、それは図１を参照して上述されるＵＥ１０５及び基地局１１５の例であり得る。ワイヤレス通信システム２００はまた、ダウンリンク２０５を含み得、それは図１を言及して説明されるようにＰＢＣＨを含み得る。本開示にしたがって、基地局１０５−ａは、該システム構成に基づいてダウンリンク２０５に関するＰＢＣＨ構成を選択し得る。いくつかの場合では、ＵＥ１１５−ａは、ＭＴＣデバイスであり得、ＰＢＣＨは、カバレッジ拡張動作に基づき得る。
【００５７】
[0077]ＰＢＣＨ構成は、ＵＥ１１５−ａによる受信を改善するためにＰＢＣＨの追加の反復を含み得る。例えば、レートマッチングスキームは、ＰＢＣＨの送信に使用可能である多数のリソース要素（ＲＥs）に基づくＰＢＣＨに関する基地局１０５−ａによって選択され得る。しかしながら、いくつかのケースでは、該基地局１０５−ａによって使用される該ＰＢＣＨ構成は、ＵＥ１１５−ａに事前に知られていない場合がある。このため、ＵＥ１１５−ａは、該システム構成の既知の又は仮定されたパラメタに基づいてダウンリンク２０５を介するＰＢＣＨの受信に使用するためのＰＢＣＨ構成を決定し得、識別された構成に基づくＭＩＢを受信しようと試み得る。
【００５８】
[0078]例えば、基地局１０５−ａがＴＤＤフレーム構造のタイプを使用する場合、それは、ＴＤＤフレーム構造にしたがって利用可能なサブフレーム５（例えば、ＳＦＮ５）或いはサブフレーム０（例えば、ＳＦＮ０）内の複数のＲＥに基づいて、追加のＰＢＣＨ反復を送信し得る。同様に、基地局１０５−ａがＦＤＤフレーム構造のタイプを使用する場合、それは、ＴＤＤフレーム構造にしたがって利用可能な、サブフレーム５又はサブフレーム０内の複数のＲＥに基づいて、追加のＰＢＣＨ反復を送信し得る。いくつかのケースでは、ＵＥ１１５−ａは、ＰＢＣＨを受信することに先立って該フレーム構造のタイプを積極的に識別し得る。
【００５９】
[0079]いくつかのケースでは、該ＰＢＣＨ構成は、ダウンリンク２０５の制御領域サイズ  に基づき得る。例えば、該ＰＢＣＨ構成は、ＰＤＣＣＨの送信に使用される多数のシンボル期間に基づき得る。ＵＥ１１５−ａは、システム帯域幅に関わりない該制御領域のサイズを仮定し得る（例えば、それが３シンボル期間又は４シンボル期間であると仮定する）。他のケースでは、ＵＥ１１５−ａは、システム帯域幅を仮定し又は推定し、及びシステム帯域幅に基づいて推測される制御領域サイズ  を選択し得る。ＵＥ１１５−ａはそれから、制御領域サイズ  に基づくＰＢＣＨ構成にしたがって基地局１０５−ａからＰＢＣＨを受信するよう試み得る。キャリアタイプ及び巡回プリフィックス（ＣＰ）タイプのような、他の複数の要因は、またＵＥ１１５−ａによって仮定される、或いは基地局１０５−ａによって選択されるＰＢＣＨ構成に影響を与え得る。
【００６０】
[0080]図３Ａは、本開示の様々な観点にしたがうＰＢＣＨ反復に関するＲＥを伴うサブフレーム０に関するＦＤＤリソースブロックペア３００−ａの例を図示する。リソースブロックペア３００−ａｗは、図１−２を参照して上述される基地局１０５及びＵＥ１１５によって使用され得る。例えば、ＦＤＤリソースブロックペア３００−ａは、基地局１０５によって選択され、システム構成に基づくＰＢＣＨの受信及び送信に使用される１つのＰＢＣＨ構成の例であり得る。
【００６１】
[0081]ＦＤＤリソースブロックペア３００−ａは、該時間領域内の単一の１ｍｓサブフレームの時間周期(a time period)、及び周波数領域内の（例えば、サブキャリア帯域幅１５ＫＨｚの）１２のサブキャリアを表し得る。ＦＤＤリソースブロックペア３００−ａは、制御領域３０５−ａを含み得、それはサブフレームの始めの最大４つのシンボル期間までを占有し得る。図示されるように、いくつかの場合では、制御領域３０５−ａは、ＰＢＣＨ反復に使用されない場合がある。しかしながら、いくつかの場合では、該制御領域は、４よりも少ないシンボル（例えば、３シンボル）を占有し得、該表示される制御領域３０５‐ａ内のいくつかのＲＥは、ＰＢＣＨ反復に使用され得る。
【００６２】
[0082]ＦＤＤリソースブロックペア３００−ａはまた、複数の同期信号の送信に使用されるＳＳＳ領域３１５−ａおよびＰＳＳ領域３１０−ａを含み得る。ベースのＰＢＣＨ  ＲＥ３２０−ａは、システム構成の他の観点に関わらず、及びカバレッジ拡張動作に関わりなく、ＰＢＣＨの送信に使用され得る。ＣＲＳ領域３２５−ａは、ＣＲＳの送信に使用され得る。いくつかの例において、ＲＢ内のＣＲＳの周波数シフトは、関連するセル同一性に依存し得る。ＣＲＳ領域３２５−ａは、１つの可能な周波数シフトを表し得るものの、ＣＲＳの他の複数の周波数シフトもまた可能である。
【００６３】
[0083]追加のＰＢＣＨ  ＲＥ３３０−ａは、基地局１０５によって選択されるＰＢＣＨ構成にしたがってＰＢＣＨの反復に使用され得る。いくつかのケースでは、追加のＰＢＣＨ  ＲＥ３３０−ａは、制御領域３０５−ａ、ＰＳＳ領域３１０−ａ、ＳＳＳ領域３１５−ａ、ベースのＰＢＣＨ  ＲＥ３２０−ａ、及びＣＲＳ領域３２５−ａによって占有されないＲＥの全てを含み得る。このため、いくつかの場合では、ＰＢＣＨ構成は、インデックス０のサブフレームの５番目、１２番目、１３番目、及び１４番目のシンボル期間内において追加のＰＢＣＨ  ＲＥ３３０‐ａを備える。したがって、該サブフレーム内には、２４０の追加のＰＢＣＨ  ＲＥ３３０−ａがあり得る。
【００６４】
[0084]図３Ｂは、本開示の様々な観点にしたがう、ＰＢＣＨ反復に関するＲＥを伴うサブフレーム０に関するＴＤＤリソースブロックペア３００−ｂの例を図示する。リソースブロックペア３００−ｂは、図１−２を参照して上述される基地局１０５およびＵＥ１１５によって使用され得る。例えば、ＴＤＤリソースブロックペア３００−ｂは、基地局１０５によって選択され、該システム構成に基づくＰＢＣＨの送信及び受信に使用される１つのＰＢＣＨ構成の例であり得る。
【００６５】
[0085]ＴＤＤリソースブロックペア３００−ｂは、時間領域内の単一の１ｍｓサブフレームの時間周期、及び周波数領域内の１２のサブキャリア（例えば、サブキャリア帯域幅１５ＫＨｚ）を表し得る。ＴＤＤリソースブロックペア３００−ｂは、制御領域３０５−ｂを含み得、それは該サブフレームの始めの４つのシンボル期間までを占有し得る。図示されるように、いくつかの場合では、該制御領域３０５−ｂは、ＰＢＣＨ反復に使用されない場合がある。しかしながら、いくつかの場合では、該制御領域は、４より少ないシンボル（例えば、３シンボル）を占有し得、表示される制御領域３０５−ｂ内のいくつかのＲＥは、ＰＢＣＨ反復に使用され得る。
【００６６】
[0086]ＴＤＤリソースブロックペア３００−ｂはまた、複数の同期信号の送信に使用されるＳＳＳ領域３１５−ｂを含み得る。ベースのＰＢＣＨ  ＲＥ３２０−ｂは、システム構成の他の観点に関わらず、及びカバレッジ拡張動作に関わりなく、ＰＢＣＨの送信に使用され得る。ＣＲＳ領域３２５−ｂは、ＣＲＳの送信に使用され得る。
【００６７】
[0087]追加のＰＢＣＨ  ＲＥ３３０−ｂは、基地局１０５によって選択されるＰＢＣＨ構成にしたがってＰＢＣＨの反復に使用され得る。いくつかのケースでは、追加のＰＢＣＨ  ＲＥ３３０−ｂは、制御領域３０５−ｂ、ＳＳＳ領域３１５−ｂ、ベースのＰＢＣＨ  ＲＥ３２０−ｂ、及びＣＲＳ領域３２５−ｂによって占有されないＲＥの全てを含み得る。このため、いくつかのケースでは、ＰＢＣＨ構成は、インデックス０のサブフレームの５番目、６番目、７番目、１２番目、及び１３番目のシンボル期間内において追加のＰＢＣＨ  ＲＥ３３０−ｂを含む。したがって、該サブフレーム内には、３１２の追加のＰＢＣＨ  ＲＥ３３０−ｂがあり得る。４つのシンボル期間が使用される場合の２４０の追加のＰＢＣＨ  ＲＥと比較すると、この構成は、３０パーセントより多いＲＥを提供し得、それはまた、サブフレーム０（例えば、異なる反復レベルに関連付けられる５５２のＲＥと４８０のＲＥとの間の比較に基づく）内のＰＢＣＨ送信に関する１５パーセントより多いＲＥを提供し得、それは、大体０．６ｄＢのカバレッジ拡張をもたらし得る。
【００６８】
[0088]図３Ｃは、本開示の様々な観点にしたがう、ＰＢＣＨ反復に関するＲＥを伴うサブフレーム５に関するＦＤＤリソースブロックペア３００−ｃの例を図示する。リソースブロックペア３００−ｃは、図１−２を参照して上述される基地局１０５およびＵＥ１１５によって使用され得る。例えば、ＦＤＤリソースブロックペア３００−ｃは、基地局１０５によって選択され、該システム構成に基づくＰＢＣＨの送信及び受信に使用される１つのＰＢＣＨ構成の例であり得る。
【００６９】
[0089]ＦＤＤリソースブロックペア３００−ｃは、該時間領域内の単一の１ｍｓサブフレームの時間周期、及び該周波数領域内の１２のサブキャリア（例えば、サブキャリア帯域幅１５ＫＨｚ）を表し得る。ＦＤＤリソースブロックペア３００−ｃは、制御領域３０５−ｃを含み得、それは該サブフレームの始めの最大４つのシンボル期間までを占有し得る。図示されるように、いくつかのケースでは、制御領域３０５−ｃは、ＰＢＣＨ反復に使用されない場合がある。しかしながら、いくつかのケースでは、該制御領域は、４よりも少ないシンボル（例えば、３シンボル）を占有し得、表示される制御領域３０５−ｃ内のいくつかのＲＥは、ＰＢＣＨ反復に関して使用され得る。
【００７０】
[0090]ＦＤＤリソースブロックペア３００−ｃはまた、複数の同期信号の送信に使用されるＰＳＳ領域３１０−ｃ及びＳＳＳ領域３１５−ｃを含み得る。ＣＲＳ領域３２５−ｃは、ＣＲＳの送信に使用され得る。
【００７１】
[0091]追加のＰＢＣＨ  ＲＥ３３０−ｃは、基地局１０５によって選択されるＰＢＣＨ構成にしたがってＰＢＣＨの反復に使用され得る。いくつかのケースでは、追加のＰＢＣＨ  ＲＥ３３０−ｃは、制御領域３０５−ａ、ＰＳＳ領域３１０−ａ、ＳＳＳ領域３１５−ｃ、及びＣＲＳ領域３２５−ｃによって占有されないＲＥの全てを含み得る。このため、いくつかのケースでは、該ＰＢＣＨ構成は、インデックス５のサブフレームの５番目、８番目、９番目、１０番目、１１番目、１２番目、１３番目、及び１４番目中のシンボル期間内において追加のＰＢＣＨ  ＲＥ３３０−ｃを含む。したがって、サブフレーム内には、４８０の追加のＰＢＣＨ  ＲＥ３３０−ａがあり得る。
【００７２】
[0092]図３Ｄは、本開示の様々な観点にしたがう、ＰＢＣＨ反復に関するＲＥを伴うサブフレーム５に関するＴＤＤリソースブロックペア３００−ｂの例を図示す及びＵＥ１１５によって使用され得る。例えば、ＴＤＤリソースブロックペア３００−ｄは、基地局１０５によって選択され、該システム構成に基づくＰＢＣＨの受信及び送信に使用される１つのＰＢＣＨ構成の例であり得る。
【００７３】
[0093]ＴＤＤリソースブロックペア３００−ｄは、該時間領域内の単一の１ｍｓサブフレームの時間周期、及び周波数領域内の１２のサブキャリア（例えば、サブキャリア帯域幅１５ＫＨｚ）を表し得る。ＴＤＤリソースブロックペア３００−ｂは、制御領域３０５−ｄを含み得、それは、該サブフレームの始めの４つまでのシンボル期間を占有し得る。図示されるように、いくつかのケースでは、該制御領域３０５−ｂは、ＰＢＣＨ反復に使用されない場合がある。しかしながら、いくつかのケースでは、該制御領域は、４よりも少ないシンボル（例えば、３シンボル）を占有し得、表示される制御領域３０５−ｂ内のいくつかのＲＥは、ＰＢＣＨ反復に使用され得る。
【００７４】
[0094]ＴＤＤリソースブロックペア３００‐ｄはまた、複数の同期信号の送信に使用されるＳＳＳ領域３１５−ｄを含み得る。ＣＲＳ領域３２５−ｄは、ＣＲＳの送信に使用され得る。
【００７５】
[0095]追加のＰＢＣＨ  ＲＥ３３０−ｂは、基地局１０５によって選択されるＰＢＣＨ構成にしたがってＰＢＣＨの反復に使用され得る。いくつかのケースでは、追加のＰＢＣＨ  ＲＥ３３０−ｄは、制御領域３０５−ｄ、ＳＳＳ領域３１５−ｄ、及びＣＲＳ領域３２５−ｄによって占有されないＲＥの全てを含み得る。このため、いくつかのケースでは、ＰＢＣＨ構成は、インデックス５のサブフレームの５番目、６番目、７番目、８番目、９番目、１０番目、１１番目、１２番目、及び１３番目のシンボル期間において追加のＰＢＣＨ  ＲＥ３３０−ｄを含む。したがって、該サブフレーム内には、５５２の追加のＰＢＣＨ  ＲＥ３３０−ｄがあり得る。この構成はそれゆえ、サブフレーム５毎にＰＢＣＨあたり１５パーセント多いＲＥを提供し得、そしてそれはＰＢＣＨ送信に関する１５パーセント多いＲＥを提供し得、それは、大体０．６ｄＢのカバレッジ拡張をもたらし得る。
【００７６】
[0096]図４は、本開示の様々な態様にしたがう、ＰＢＣＨカバレッジ拡張をサポートするシステムに関する処理フロー４００の例を図示する。処理フロー４００は、ＵＥ１１５−ｂを含み得、それは、図１−２を言及して上述されるＵＥ１１５の例であり得る。処理フロー４００はまた、基地局１０５−ｂ及び基地局１０５−ｃを含み得、それは、図１−２を言及して上述される基地局１０５の例であり得る。いくつかの場合では、追加のＵＥ１１５（図示されない）はまた、処理フロー４００の他の送信及びＰＢＣＨを受信し得る。
【００７７】
[0097]ステップ４０５において、ＵＥ１１５−ｂは、基地局１０５−ｂによって供される、あるセルのシステム構成を識別し得る。いくつかの例において、システム構成を識別することは、フレーム構造のタイプ（例えば、ＴＤＤ又はＦＤＤ）を識別すること、キャリアタイプを識別すること、巡回プリフィックス（ＣＰ）タイプを識別すること、システム帯域幅を仮定すること、又は制御領域サイズ  を仮定することを含む。該ＵＥ１１５は、仮定されたシステム帯域幅に対応する制御領域に関する多数のシンボル(a number of symbols)を決定し得、そこでは、該ＰＢＣＨ構成は、制御領域に関するシンボルの数に基づき得る。いくつかの例において、仮定されるシステム帯域幅は、１０個のリソースブロックよりも大きい。該ＵＥ１１５は、例えば、ＰＢＣＨ構成が制御領域に関する３シンボルに基づくことを決定し得る。この仮定は、ＦＤＤサブフレーム０に関するおおよそ０．６ｄＢのカバレッジ拡張（例えば、ＲＥの１５パーセント増加）を提供し得る。代替として、ＴＤＤサブフレーム０に関して、この仮定は、おおよそ１．１ｄＢのカバレッジ拡張（例えば、ＲＥの３０パーセント増加）を提供し得る。
【００７８】
[0098]いくつかの例において、該仮定されるシステム帯域幅は、１０個より大きくないリソースブロックの帯域幅を含む。ＵＥ１１５はこのため、例えば、ＰＢＣＨ構成が制御領域に関する４シンボルに基づくことを決定し得る。いくつかの例において、ＰＢＣＨ送信を受信することは、システム帯域幅に関わりなく、制御領域の仮定されたサイズに基づいてＰＢＣＨ検出を実行することを含む。例として、制御領域の仮定されるサイズは、３シンボルであり得る。いくつかの例において、該制御領域の仮定されるサイズは、ゼロ（０）、例えば、ゼロ（０）シンボル、である。制御領域サイズ  中の仮定は、ＰＢＣＨが送信されるサブフレーム内の制御送信を効果的に限定し得るが、基地局はＰＣＦＩＣＨ値、及びひいては制御領域サイズ  を動的に制御し得るので、そのような限定は、基地局における適切なスケジューリングによってハンドルされ得る。
【００７９】
[0099]ステップ４１０において、ＵＥ１１５−ｂは、システム構成に基づいてＰＢＣＨ構成を決定し得る。例えば、ＵＥ１１５−ｂは、ＰＢＣＨ反復量を決定し得る。いくつか例において、該ＰＢＣＨ構成（反復量を含む）は、フレーム構造のタイプ、キャリアタイプ、ＣＰタイプ、仮定されたシステム帯域幅、又は仮定された制御領域サイズ  、に基づいて決定される。ＰＢＣＨ構成は、システム構成に基づいて基地局１０５−ｂによって選択され得る。いくつかの場合では、ＵＥ１１５-ａによって決定される該ＰＢＣＨ構成は、基地局１０５−ｂによって選択されるＰＢＣＨ構成と正確には一致しない場合がある。例えば、ＵＥ１１５−ｂは、基地局１０５−ｂによって実際に使用されない制御領域サイズ  又は帯域幅を仮定し得る。いくつかの例において、ＰＢＣＨ構成を決定することは、識別されたシステム構成に少なくとも部分的に基づいてＰＢＣＨ反復の量を決定することを備える。
【００８０】
[0100]いくつかの例において、該システム帯域幅は、１０個のリソースブロックより大きく、およびＰＢＣＨ構成は、制御領域に関する３シンボルに基づき得る。いくつかの例において、システム帯域幅は、１０個のリソースブロックより少なく又は等しく、ＰＢＣＨ構成は、制御領域に関する４シンボルに基づき得る。いくつかの例において、ＵＥは、複数の可能なシステム帯域幅を伴うシステム帯域幅に関する制御サイズを仮定することによって仮検出を実行し得る。例のように、ＵＥ１１５-ａは、続く２つの仮説、１）１０個のＲＢ又はこれより少ないシステム帯域幅、及び制御領域に関する４シンボルの仮定に基づくＰＢＣＨ送信、並びに２）１０個のＲＢよりも多いシステム帯域幅、及び制御領域に関する３シンボルの仮定に基づくＰＢＣＨ送信、を実行し得る。ＵＥ１１５-ａは、２つの仮説に基づいてＰＢＣＨ検出を実行し得る。ＰＢＣＨを検出した後、それは、実際のシステム帯域幅を包含し得て、該ＵＥ１１５-ａはＰＢＣＨ内に表示されるシステム帯域幅が、対応するＰＢＣＨ検出に関する仮定されたシステム帯域幅と一致するかどうか、をさらに検査し得る。いくつかのケースでは、ＵＥ１１５−ｂは、推定されるシステム帯域幅に基づいて制御領域細部を仮定し得るが、他の場合ではＵＥ１１５−ｂは、システム帯域幅に関わりなく、制御領域サイズ  （例えば、４シンボルのうちの３つ）を仮定し得る。
【００８１】
[0101]ステップ４１５において、ＵＥ１１５−ｂは、該選択されたＰＢＣＨ構成にしたがって基地局１０５−ｂからＰＢＣＨ送信を受信し得る。すなわち、実際のＰＢＣＨ構成はＰＢＣＨを送信するために基地局１０５−ｂによって使用され得るが、ＵＥ１１５−ｂは、選択されたＰＢＣＨ構成を推定し、ＰＢＣＨを受信するために該推定された構成を使用し得る。
【００８２】
[0102]ステップ４２０において、ＵＥ１１５−ｂは、基地局１０５−ｃによって供されるセルの第２のシステム構成を識別し得る。該第２のシステム構成は、該第１のシステム構成と異なり得る。例えば、該フレーム構造のタイプ、キャリアタイプ、ＣＰタイプ、仮定されるシステム帯域幅又は仮定される制御領域のサイズは異なり得る。
【００８３】
[0103]ステップ４２５において、ＵＥ１１５−ｂは、基地局１０５−ｃの該第２のシステム構成に基づいて第２のＰＢＣＨ構成を決定し得る。例えば、ＵＥ１１５−ｂは、第２のＰＢＣＨ反復量を決定し得る。基地局１０５−ｃの該第２のＰＢＣＨの反復量及び該第２のＰＢＣＨ構成は、異なるシステム構成に基づく基地局１０５−ｂの第１のＰＢＣＨの反復量及び第１のＰＢＣＨ構成と異なり得る。
【００８４】
[0104]ステップ４３０において、ＵＥ１１５−ｂは、第２のＰＢＣＨ構成にしたがって基地局１０５−ｃからＰＢＣＨ送信を受信し得る。すなわち、該実際のＰＢＣＨ構成はＰＢＣＨを送信するために基地局１０５−ｃによって使用され得るが、ＵＥ１１５−ｂは、基地局１０５−ｃの選択されたＰＢＣＨ構成を推定し、およびＰＢＣＨを受信するために該推定された構成を使用し得る。
【００８５】
[0105]図５は、本開示の様々な観点にしたがうＰＢＣＨカバレッジ拡張をサポートするＵＥ１１５−ｃのブロックダイアグラム５００を示す。ＵＥ１１５−ｃは、図１−４を参照して説明されるＵＥ１１５の観点の例であり得る。ＵＥ１１５−ｃは、受信機５０５、拡張型ＰＢＣＨモジュール５１０、又は送信機５１５を含み得る。ＵＥ１１５−ｃは、またプロセッサを含み得る。これらコンポーネントの各々は、互いとの通信中であり得る。
【００８６】
[0106]該受信機５０５は、様々な情報チャネル（例えば、カバレッジ拡張に関するＰＢＣＨに関連付けられる情報、複数のデータチャネル及び複数の制御チャネル等）に関連付けられる制御情報、ユーザデータ又は複数のパケットのような情報を受信し得る。情報は、拡張型ＰＢＣＨモジュール５１０及びＵＥ１１５−ｃの他のコンポーネントへと渡され得る。
【００８７】
[0107]拡張型ＰＢＣＨモジュール５１０は、セルのシステム構成を識別し、該システム構成に基づいてＰＢＣＨ構成を決定し得、及び、受信機５０５と組み合わせて、それは、該ＰＢＣＨ構成にしたがってＰＢＣＨ送信を受信し得る。
【００８８】
[0108]該送信機５１５は、ＵＥ１１５−ｃの他のコンポーネントから受信される信号を送信し得る。いくつかの例において、該送信機５１５は、トランシーバモジュール内に該受信機５０５とと共に配置され得る。送信機５１５は、単一のアンテナを含み得、又はそれは複数のアンテナを含み得る。
【００８９】
[0109]図６は、本開示の様々な観点にしたがうＰＢＣＨカバレッジ拡張をサポートするＵＥ１１５−ｄのブロックダイアグラム６００を示す。ＵＥ１１５−ｄは、図１−５を参照して説明されるＵＥ１１５の複数の観点のひとつの例であり得る。ＵＥ１１５−ｄは、受信機５０５−ａ、拡張型ＰＢＣＨモジュール５１０−ａ、又は送信機５１５−ａを含み得る。ＵＥ１１５−ｄは、またプロセッサを含み得る。これらの複数のコンポーネントの各々は、互いと通信中にあり得る。該拡張型ＰＢＣＨモジュール５１０−ａはまた、システム構成モジュール６０５、ＰＢＣＨ構成モジュール６１０、及びＰＢＣＨ受信モジュール６１５を含み得る。
【００９０】
[0110]受信機５０５−ａは、拡張型ＰＢＣＨモジュール５１０−ａに、及びＵＥ１１５−ｄの他のコンポーネントに、渡され得る情報を受信し得る。該拡張型ＰＢＣＨモジュール５１０−ａは、図５を参照して上述される該複数の動作を実行し得る。該送信機５１５−ａは、ＵＥ１１５−ｄの他の複数のコンポーネントから受信される複数の信号を送信し得る。
【００９１】
[0111]システム構成モジュール６０５は、図２−４を参照して上述されるようにセルのシステム構成を識別し得る。該システム構成モジュール６０５はまた、第２のセルの第２のシステム構成を識別し得る。
【００９２】
[0112]該ＰＢＣＨ構成モジュール６１０は、図２−４を参照して上述されるように該システム構成に基づいてＰＢＣＨ構成を決定し得る。該ＰＢＣＨ構成モジュール６１０は、また第２のシステム構成に基づいて第２のＰＢＣＨ構成を決定し得、ここにおいて、該第２のＰＢＣＨ構成は、該ＰＢＣＨ構成と異なる。
【００９３】
[0113]ＰＢＣＨ受信モジュール６１５は、図２−４を参照して上述されるように該ＰＢＣＨ構成にしたがってＰＢＣＨ送信を受信し得る。該ＰＢＣＨ受信モジュール６１５は、また、該第２のＰＢＣＨ構成に基づいて第２のＰＢＣＨ送信を受信し得る。
【００９４】
[0114] 図７は、本開示の様々な観点にしたがう、ＰＢＣＨカバレッジ拡張をサポートする拡張型ＰＢＣＨモジュール５１０−ｂのブロックダイアグラム７００を示す。該拡張型ＰＢＣＨモジュール５１０−ｂは、図５−６を参照して説明される拡張型ＰＢＣＨモジュール５１０の観点の例であり得る。拡張型ＰＢＣＨモジュール５１０−ｂは、システム構成モジュール６０５−ａ、ＰＢＣＨ構成モジュール６１０−ａ、及びＰＢＣＨ受信モジュール６１５−ａを含み得る。これらのモジュールの各々は、図６を参照して上述される複数の機能を実行し得る。該拡張型ＰＢＣＨモジュール５１０−ｂはまた、フレーム構造モジュール７０５、ＰＢＣＨ反復レベルモジュール７１０、キャリアタイプモジュール７１５、ＣＰモジュール７２０、システム帯域幅モジュール７２５、制御領域モジュール７３０、及びカバレッジ拡張モジュール７３５を含み得る。
【００９５】
[0115]該フレーム構造モジュール７０５は、該システム構成を識別するように構成され得、それは、ＴＤＤ又はＦＤＤスキームが図２−４を参照して上述されるように該システムによって使用されているかどうかを識別することを含み得る。いくつかの例において、ＰＢＣＨ構成は、該ＴＤＤ又は該ＦＤＤスキームが該システムによって使用されているかどうかに少なくとも部分的に基づいて決定され得る。いくつかの例において、該ＰＢＣＨ構成は、該ＴＤＤ又は該ＦＤＤスキームが該システムによって使用されているかどうかに基づいて決定され得る。
【００９６】
[0116]該ＰＢＣＨ反復レベルモジュール７１０は、図２−４を参照して上述されるようにＦＤＤスキームに関する第１のＰＢＣＨ反復量を決定し得る。該ＰＢＣＨ反復レベルモジュール７１０はまた、ＴＤＤスキームに関する第２のＰＢＣＨ反復量を決定し得、ここにおいて、第２のＰＢＣＨ反復量は、第１のＰＢＣＨ反復量よりも大きい。該ＰＢＣＨ反復レベルモジュール７１０はまた、ＴＤＤスキームに関する第２のＰＢＣＨ反復量を決定し得、ここにおいて、該第２のＰＢＣＨ反復量は、第１のＰＢＣＨ反復量よりも大きい。
【００９７】
[0117]該キャリアタイプモジュール７１５は、該システム構成を識別するように構成され得、それは図２−４を参照して上述されるように該システムに関するキャリアタイプを識別することを含み得る。いくつかの例では、該ＰＢＣＨ構成は、識別されたキャリアタイプに少なくとも部分的に基づいて決定され得る。
【００９８】
[0118]該ＣＰモジュール７２０は、システム構成を識別するように構成され得、それは図２−４を言及して上述されるようにシステムに関するＣＰタイプを識別することを含み得る。いくつかの例において、該ＰＢＣＨ構成は、該識別されたＣＰタイプに少なくとも部分的に基づいて決定され得る。
【００９９】
[0119]該システム帯域幅モジュール７２５は、該システム構成を識別するように構成され得、それは、図２−４を参照して上述されるように、システム帯域幅を仮定することを含み得る。いくつかの例において、該ＰＢＣＨ構成は、該仮定されたシステム帯域幅に少なくとも部分的に基づいて決定され得る。
【０１００】
[0120]該制御領域モジュール７３０は、仮定されたシステム帯域幅に対応する制御領域に関する多数のシンボルを決定し得、そして該ＰＢＣＨ構成は、図２−４を参照して上述されるように該制御領域に関するシンボルの数に少なくとも部分的に基づき得る。いくつかの例において、該仮定されるシステム帯域幅は、１０個のリソースブロックより大きくなり得、そして該ＰＢＣＨ構成は、制御領域に関する３シンボルに少なくとも部分的に基づき得る。一方いくつかの例において、該仮定されるシステム帯域幅は、１０個より大きくないリソースブロックであり得、そして該ＰＢＣＨ構成は、制御領域に関する４シンボルに少なくとも部分的に基づき得る。該ＰＢＣＨ送信を受信することは、システム帯域幅に関わりなく、制御領域の仮定されるサイズに基づいてＰＢＣＨ検出を実行すること含み得る。例として、該制御領域の該仮定されるサイズは、３シンボルであり得る。いくつかの例において、制御領域の仮定されるサイズは、ゼロ（０）（例えば、制御シンボルがない）であり得る。
【０１０１】
[0121]該カバレッジ拡張モジュール７３５は、該ＰＢＣＨ構成を決定するように構成され得、それは図２−４を参照して上述されるように該ＵＥに関するカバレッジ拡張に少なくとも部分的に基づいて該ＰＢＣＨ構成を決定することを含み得る。
【０１０２】
[0122]ＵＥ１１５−ｃ、ＵＥ１１５−ｄ、又は拡張型ＰＢＣＨモジュール５１０−ｂのコンポーネントは、個々に又は集合的に、ハードウェア内で適用可能な機能のうちのいくつか又は全てを実行するように適合された少なくとも１つの特定用途向け集積回路（ＡＳＩＣ）を用いて実施され得る。代替として、該機能は、少なくとも１つのＩＣ上で、１つ又は複数の他の処理ユニット（又はコア）によって実行され得る。他の例において、集積回路の他のタイプ（例えば、ストラクチャード／プラットフォームＡＳＩＣ、フィールドプログラマブルゲートアレイ（ＦＰＧＡ）、又は他のセミカスタムＩＣ）が使用され得、それは、この技術において知られる任意の方式でプログラムされ得る。各ユニットの複数の機能は、また全体的に又は部分的に、メモリ内で具現化された命令でインプリメントされ得、１つ又は複数の汎用又は特定用途向けプロセッサによって実行されるようにフォーマットされ得る。
【０１０３】
[0123]図８は、本開示の様々な観点にしたがう、ＰＢＣＨカバレッジ拡張をサポートするＵＥ１１５を含むシステム８００のダイアグラムを示す。システム８００は、ＵＥ１１５−ｅを含み得、それは、図１−７を参照して上述されるＵＥ１１５の例であり得る。ＵＥ１１５−ｅは、拡張型ＰＢＣＨモジュール８１０を含み得、それは、図５−７を参照して説明される拡張型ＰＢＣＨモジュール５１０の例であり得る。ＵＥ１１５−ｅはまた、ＭＴＣモジュール８２５を含み得る。ＵＥ１１５−ｅはまた、通信を送信するためのコンポーネント及び通信を受信するためのコンポーネントを含む双方向ボイス及びデータ通信に関するコンポーネントを含み得る。例えば、ＵＥ１１５−ｅは、ＵＥ１１５−ｆ又は基地局１０５−ｄと双方向に通信し得る。
【０１０４】
[0124]ＭＴＣモジュール８２５は、（例えば、カバレッジ拡張及びバッテリ保護に関する）ＭＴＣ手順を実行するように構成され得る。例えば、該ＭＴＣモジュール８２５は、ＵＥ１１５−ｅが図２−４を参照して上述されるようなＭＴＣデバイスである場合にＭＴＣ手順を実行し得る。
【０１０５】
[0125]ＵＥ１１５−ｅはまた、プロセッサモジュール８０５、および（ソフトウェア（ＳＷ）８２０を含む）メモリ８１５、トランシーバモジュール８３５、及び１つ又は複数のアンテナ８４０を含み得、それらの各々は、互いに（例えば、バス８４５を介して）、直接的に又は間接的に、通信し得る。上述されるように、トランシーバモジュール８３５は、１つ又は複数のネットワークと、アンテナ（複数を含む）８４０、又は有線若しくはワイヤレスリンクを介して、双方向に通信し得る。例えば、トランシーバモジュール８３５は、基地局１０５又はもう１つのＵＥ１１５と双方向で通信し得る。該トランシーバモジュール８３５は、パケットを変調し、送信のために該アンテナ（複数を含む）８４０に変調されたパケットを提供し、アンテナ（複数を含む）８４０から受信されたパケットを復調するためのモデムを含み得る。ＵＥ１１５−ｅは、単一のアンテナ８４０を含み得るが、ＵＥ１１５−ｅはまた、複数のワイヤレス送信を同時に送信又は受信することができる複数のアンテナ８４０を有し得る。
【０１０６】
[0126]該メモリ８１５は、ランダムアクセスメモリ（ＲＡＭ）及び読取専用メモリ（ＲＯＭ）を含み得る。該メモリ８１５は、実行された時に、プロセッサモジュール８０５に、ここで説明される様々な機能（例えば、カバレッジ拡張に関するＰＢＣＨ、等）を実行させる命令を含むコンピュータ可読なコンピュータ実行可能なソフトウェア／ファームウェアコード８２０を記憶し得る。代替として、該ソフトウェア／ファームウェアコード８２０は、プロセッサモジュール８０５によって直接実行可能ではない場合があるが、（例えば、コンパイルされ、実行される時に）、コンピュータに、ここで説明される機能を実行させ得る。該プロセッサモジュール８０５は、インテリジェントハードウェアデバイス、（例えば、中央処理ユニット（ＣＰＵ）、マイクロコントローラ、ＡＳＩＣ、等）を含み得る。
【０１０７】
[0127]図９は、本開示の様々な観点にしたがうＰＢＣＨカバレッジ拡張をサポートする基地局１０５−ｅのブロックダイアグラム９００を示す。基地局１０５−ｅは、図１−８を参照して説明される基地局１０５の観点の例であり得る。基地局１０５−ｅは、受信機９０５、基地局（ＢＳ）拡張型ＰＢＣＨモジュール９１０、又は送信機９１５を含み得る。基地局１０５−ｅはまた、プロセッサを含み得る。これらのコンポーネントの各々は、互いに通信中であり得る。
【０１０８】
[0128]該受信機９０５は、様々な情報チャネル（例えば、制御チャネル、複数のデータチャネル、及びカバレッジ拡張に関するＰＢＣＨに関連する情報、等）に関連付けられる、パケット、ユーザデータ、又は制御情報のような情報を受信し得る。情報は、ＢＳ拡張型ＰＢＣＨモジュール９１０、及び基地局１０５−ｅの他のコンポーネントへと渡され得る。
【０１０９】
[0129]該ＢＳ拡張型ＰＢＣＨモジュール９１０は、セルのシステム構成を識別し、該システム構成に少なくとも部分的に基づいてＰＢＣＨ構成を決定し、及び、送信機９１５と組み合わせて、ＰＢＣＨ構成にしたがって１つ又は複数のＵＥにＰＢＣＨ送信を送信し得る。
【０１１０】
[0130]該送信機９１５は、基地局１０５−ｅの他のコンポーネントから受信される信号を送信し得る。いくつかの例において、該送信機９１５は、トランシーバモジュール内に受信機９０５とともに配置され得る。該送信機９１５は、単一のアンテナを含み得、又はそれは数個のアンテナを含み得る。
【０１１１】
[0131] 図１０は、本開示の様々な態様にしたがう、ＰＢＣＨカバレッジ拡張をサポートする基地局１０５−ｆのブロックダイアグラム１０００を示す。基地局１０５−ｆは、図１−９を参照して説明される基地局１０５の観点の例であり得る。基地局１０５−ｆは、受信機９０５−ａ、ＢＳ拡張型ＰＢＣＨモジュール９１０−ａ、又は送信機９１５−ａを含み得る。基地局１０５−ｆはまた、プロセッサを含み得る。これらのコンポーネントの各々は、互いに通信中であり得る。該ＢＳ拡張型ＰＢＣＨモジュール９１０−ａはまた、ＢＳシステム構成モジュール１００５、ＢＳ  ＰＢＣＨ構成モジュール１０１０、及びＰＢＣＨ送信モジュール１０１５を含み得る。
【０１１２】
[0132]該受信機９０５−ａは、ＢＳ拡張型ＰＢＣＨモジュール９１０−ａに、及び基地局１０５−ｆの他のコンポーネントに渡され得る情報を受信し得る。該ＢＳ拡張型ＰＢＣＨモジュール９１０−ａは、図９を参照して上述される動作を実行し得る。送信機９１５−ａは、基地局１０５−ｆの他のコンポーネントから受信された信号を送信し得る。
【０１１３】
[0133]該ＢＳシステム構成モジュール１００５は、図２−４を参照して上述されるようにセルのシステム構成を識別し得る。該ＢＳ  ＰＢＣＨ構成モジュール１０１０は、図２−４を参照して上述されるように該システム構成に少なくとも部分的に基づいてＰＢＣＨ構成を決定し得る。該ＰＢＣＨ送信モジュール１０１５は、図２−４を参照して上述されるように該ＰＢＣＨ構成にしたがって１つ又は複数のＵＥ１１５にＰＢＣＨ送信を送信し得る。該ＰＢＣＨ送信モジュール１０１５はまた、第２のＰＢＣＨ構成に少なくとも部分的に基づいて第２のＰＢＣＨ送信を送信し得る。
【０１１４】
[0134]図１１は、本開示の様々な観点にしたがって、ＰＢＣＨカバレッジ拡張をサポートするＢＳ拡張型ＰＢＣＨモジュール９１０−ｂのブロックダイアグラム１１００を示す。該ＢＳ拡張型ＰＢＣＨモジュール９１０−ｂは、図９−１０を参照して説明されるＢＳ拡張型ＰＢＣＨモジュール９１０の観点の例であり得る。該ＢＳ拡張型ＰＢＣＨモジュール９１０−ｂは、ＢＳシステム構成モジュール１００５−ａ、ＢＳ  ＰＢＣＨ構成モジュール１０１０−ａ、及びＰＢＣＨ送信モジュール１０１５−ａを含み得る。これらのモジュールの各々は、図１０を参照して上述される複数の該機能を実行し得る。該ＢＳ拡張型ＰＢＣＨモジュール９１０−ｂはまた、ＢＳフレーム構造モジュール１１０５、ＢＳ  ＰＢＣＨ反復レベルモジュール１１１０、ＢＳキャリアタイプモジュール１１１５、ＢＳ  ＣＰモジュール１１２０、ＢＳシステム帯域幅モジュール１１２５、ＢＳ制御領域モジュール１１３０、ＢＳカバレッジ拡張モジュール１１３５を含み得る。
【０１１５】
[0135]該ＢＳフレーム構造モジュール１１０５は、該システム構成を識別するように構成され得、それは、図２−４を参照して上述されるように、ＴＤＤ又はＦＤＤスキームが該システムによって使用されているかどうかを識別することを含み得る。いくつかの例において、該ＢＳ  ＰＢＣＨ反復レベルモジュール１１１０は、図２−４を参照して上述されるように（例えば、ＦＤＤスキーム及びＴＤＤスキームに関する）第１又は第２のＰＢＣＨ反復量を決定し得る。
【０１１６】
[0136]該ＢＳキャリアタイプモジュール１１１５は、該システム構成を識別するように構成され得、それは、図２−４を参照して上述されるように該システムに関するキャリアタイプを識別することを含み得る。いくつかの場合では、該ＢＳ  ＣＰモジュール１１２０は、該システム構成を識別するように構成され得、それは、図２−４を参照して上述されるように該システムに関するＣＰタイプを識別することを含み得る。該ＢＳシステム帯域幅モジュール１１２５は、図２−４を参照して上述されるように、システム構成を識別することがシステム帯域幅を識別することを含み得るように構成され得る。加えて又は代替として、該ＢＳ制御領域モジュール１１３０は、システム帯域幅に対応する制御領域に関する多数のシンボルを決定し得、ここにおいて、該ＰＢＣＨ構成は、図２−４を参照して上述されるように該制御領域に関するシンボルの数に少なくとも部分的に基づく。
【０１１７】
[0137]該ＢＳカバレッジ拡張モジュール１１３５は、ＰＢＣＨ構成を決定するように構成され得、それは、図２−４を参照して上述されるように１つ又は複数の該ＵＥに関するカバレッジ拡張に少なくとも部分的に基づいて該ＰＢＣＨ構成を決定することを含み得る。例えば、いくつかの場合において、１つ又は複数の該ＵＥは、上述されるようにＭＴＣデバイスを含み得、そしてカバレッジ拡張技術は、ＭＴＣデバイスのために使用され得る。
【０１１８】
[0138]基地局１０５−ｅ、基地局１０５−ｆ、又はＢＳ拡張型ＰＢＣＨモジュール９１０−ｂのコンポーネントは、個々に又は集合的に、ハードウェア内で適用可能な複数の機能のうちのいくつか又はすべてを実行するように適合された少なくとも１つのＡＳＩＣを用いて実行され得る。代替として、該複数の機能は、少なくとも１つのＩＣ上で、１つ又は複数の他の処理ユニット（又はコア）によって実行され得る。他の例において、集積回路の他のタイプ（例えば、ストラクチャード(Structured)／プラットフォームＡＳＩＣ、ＦＰＧＡ、又は他のセミ-カスタムＩＣ）が使用され得、それらは、この技術において知られるいずれかの方式(manner)でプログラムされ得る。各ユニットの該複数の機能はまた、全体的に又は部分的に、メモリ内で具現化された命令で実行され得、１つ又は複数の汎用又は特定用途向けプロセッサによって実行されるようにフォーマットされ得る。
【０１１９】
[0139]図１２は、本開示の様々な態様にしたがう、ＰＢＣＨカバレッジ拡張をサポートする、基地局１０５を含む、システム１２００のダイアグラムを示す。システム１２００は、基地局１０５−ｇを含み得、それは、図１−１１を参照して上述される基地局１０５の例であり得る。基地局１０５−ｇは、ＢＳ拡張型ＰＢＣＨモジュール１２１０を含み得、それは、図９−１１を参照して説明されるＢＳ拡張型ＰＢＣＨモジュール９１０の例であり得る。基地局１０５−ｇはまた、通信を送信するための複数のコンポーネント及び通信を受信するための複数のコンポーネントを含む双方向ボイス及びデータ通信に関する複数のコンポーネントを含み得る。例えば、基地局１０５−ｇは、ＵＥ１１５−ｇ又はＵＥ１１５−ｈと双方向に通信し得る。
【０１２０】
[0140] いくつかの場合では、基地局１０５−ｇは、１つ又は複数の有線バックホールリンク(backhaul links)を有し得る。基地局１０５−ｇは、該コアネットワーク１３０への有線バックホールリンク（例えば、Ｓ１インタフェース、等）を有し得る。基地局１０５−ｇはまた、基地局間バックホールリンク（例えば、Ｘ２インタフェース、等）を介して、基地局１０５−ｈ及び基地局１０５−ｉのような、他の複数の基地局１０５と通信し得る。基地局１０５の各々は、同じ又は異なるワイヤレス通信技術を使用してＵＥ１１５と通信し得る。いくつかのケースでは、基地局１０５−ｇは、基地局通信モジュール１２２５を利用して１０５−ｈ又は１０５−ｉのような他の基地局と通信し得る。いくつかの例において、基地局通信モジュール１２２５は、いくつかの基地局１０５間の通信を提供するために、ＬＴＥ／ＬＴＥ−Ａワイヤレス通信ネットワーク技術内のＸ２インタフェースを提供し得る。いくつかの例において、基地局１０５−ｇは、コアネットワーク１３０を通して他の基地局と通信し得る。いくつかのケースでは、基地局１０５−ｇは、ネットワーク通信モジュール１２３０を通して該コアネットワーク１３０と通信し得る。
【０１２１】
[0141]基地局１０５−ｇは、プロセッサモジュール１２０５、（ソフトウェア（ＳＷ）１２２０を含む）メモリ１２１５、トランシーバ１２３５、及びアンテナ（複数を含む）１２４０を含み得、それらは各々、（例えば、バスシステム１２４５をわたって）互いに、直接的又は間接的に、通信中であり得る。該トランシーバ１２３５は、複数のＵＥ１１５と、アンテナ（複数を含む）１２４０を介して、双方向で通信するように構成され得、それは、複数のマルチモードデバイスであり得る。該トランシーバ１２３５（又は基地局１０５−ｇの他のコンポーネント）はまた、（図示されない）１つ又は複数の他の基地局と、アンテナ１２４０を介して、双方向で通信するように構成され得る。該トランシーバ１２３５は、該複数のパケットを変調しおよび送信のために該複数のアンテナ１２４０に変調されたパケットを提供し、および該複数のアンテナ１２４０から受信された複数のパケットを復調するように、構成されるモデムを含み得る。該基地局１０５−ｇは、マルチプル(multiple)なトランシーバ１２３５、各々は１つ又は複数の関連するアンテナ１２４０を伴う、を含み得る。該トランシーバモジュールは、図９の組み合わされた受信機９０５及び送信機９１５の例であり得る。
【０１２２】
[0142]該メモリ１２１５は、ＲＡＭ及びＲＯＭを含み得る。該メモリ１２１５はまた、実行された時に、該プロセッサモジュール１２１０に、ここで説明される様々な機能（例えば、カバレッジ拡張に関するＰＢＣＨ、カバレッジ拡張技術を選択すること、呼処理、データベース管理、メッセージルーティング、等）を実行させるように構成される複数の命令を包含するコンピュータ可読な、コンピュータ実行可能なソフトウェアコード１２２０を記憶し得る。代替として、該ソフトウェア／ファームウェアコード１２２０は、プロセッサモジュール１２０５によって直接実行可能ではない場合があるが、しかし例えば、コンパイルされ、実行される時に、コンピュータに、ここで説明される機能を実行させるように構成され得る。プロセッサモジュール１２０５は、インテリジェントハードウェアデバイス、例えば、ＣＰＵ、マイクロコントローラ、ＡＳＩＣ、等を含み得る。該プロセッサモジュール１２０５は、エンコーダ、キュー処理モジュール、複数のベースバンドプロセッサ、無線ヘッド(head)コントローラ、デジタル信号プロセッサ（ＤＳＰ）、及び同種のもの、のような様々な特別目的のプロセッサを含み得る。
【０１２３】
[0143]該基地局通信モジュール１２２５は、他の基地局１０５との通信を管理し得る。該通信管理モジュールは、他の基地局１０５と連携してＵＥ１１５との通信を制御するためのスケジューラ(scheduler)またはコントローラ又はスケジューラを含み得る。例えば、該基地局通信モジュール１２２５は、ビームフォーミング(beamforming)又はジョイント送信(Joint transmission)のような様々な干渉緩和(mitigation)技術のためにＵＥ１１５への送信に関するスケジューリングを統合し得る。
【０１２４】
[0144]図１３は、本開示の様々な態様にしたがうＰＢＣＨカバレッジ拡張に関する方法１３００を図示するフローチャートを示す。方法１３００の動作は、UＵＥ１１５又は図１−１２を参照して説明されるようなそのコンポーネントによってインプリメントされ得る。例えば、方法１３００の該動作は、図５−８を参照して説明されるような該拡張型ＰＢＣＨモジュール５１０によって実行され得る。いくつかの例において、ＵＥ１１５は、以下に説明される該複数の機能を実行するためにＵＥ１１５の機能要素（functional element）を制御するためのコードのセットを実行し得る。加えて又は代替として、該ＵＥ１１５は、特別―目的(special-purpose)のハードウェアを使用して以下に説明される該複数の機能、観点を実行し得る。
【０１２５】
[0145]ブロック１３０５において、該ＵＥ１１５は、図２−４を参照して上述されるようにセルのシステム構成を識別し得る。ある例において、ブロック１３０５の該複数の動作は、図６を参照して上述されるように該システム構成モジュール６０５によって実行され得る。
【０１２６】
[0146]ブロック１３１０において、該ＵＥ１１５は、図２−４を参照して上述されるように該システム構成に少なくとも部分的に基づいてＰＢＣＨ構成を決定し得る。ある例において、ブロック１３１０の動作は、図６を言及して上述されるようにＰＢＣＨ構成モジュール６１０によって実行され得る。
【０１２７】
[0147]ブロック１３１５において、ＵＥ１１５は、図２−４を言及して上述されるようにＰＢＣＨ構成にしたがってＰＢＣＨ送信を受信し得る。ある例において、ブロック１３１５の動作は、図６を参照して上述されるようにＰＢＣＨ受信モジュール６１５によって実行され得る。
【０１２８】
[0148]図１４は、本開示の様々な観点にしたがうＰＢＣＨカバレッジ拡張に関する方法１４００を図示するフローチャートを示す。方法１４００の動作は、図１−１２を参照して説明されるようにそのコンポーネントまたはＵＥ１１５によってインプリメントされ得る。例えば、方法１４００の複数の動作は、図５−８を参照して説明されるように該拡張型ＰＢＣＨモジュール５１０によって実行され得る。いくつかの例において、ＵＥ１１５は、以下に説明される複数の機能を実行するためのＵＥ１１５の複数の機能要素を制御するために複数のコードのセットを実行し得る。加えて又は代替として、該ＵＥ１１５は、特別の目的のハードウェアを使用して以下に説明される複数の機能、観点を実行し得る。該方法１４００はまた、図１３の方法１３００の観点を組み込み得る。
【０１２９】
[0149]ブロック１４０５において、該ＵＥ１１５は、図２−４を参照して上述されるようにセルのシステム構成を識別し得る。いくつかのケースでは、該システム構成を識別することは、ＴＤＤ又はＦＤＤスキームが該システムによって使用されているかどうかを識別することを備える。ある例において、ブロック１４０５の複数の動作は、図６を参照して上述されるように該システム構成モジュール６０５によって実行され得る。
【０１３０】
[0150]ブロック１４１０において、該ＵＥ１１５は、図２−４を参照して上述されるように該システム構成に少なくとも部分的に基づいてＰＢＣＨ構成を決定し得る。いくつかのケースでは、該ＰＢＣＨ構成は、該ＴＤＤ又は該ＦＤＤスキームがシステムによって使用されているかどうかに少なくとも部分的に基づいて決定され得る。ある例において、ブロック１４１０の複数の動作は、図６を参照して上述されるように該ＰＢＣＨ構成モジュール６１０によって実行され得る。いくつかのケースでは、該ＰＢＣＨ構成は、ＰＢＣＨ反復量を備え得、そして該ＵＥ１１５は、図２−４を参照して上述されるようにＦＤＤスキームに関する第１のＰＢＣＨ反復量を決定し得る。ある複数の例において、ブロック１４２０の複数の動作は、図７を参照して上述されるように該ＰＢＣＨ反復レベルモジュール７１０によって実行され得る。
【０１３１】
[0151]ブロック１４１５において、該ＵＥ１１５は、ＴＤＤスキームに関する第２のＰＢＣＨ反復量を決定し得、ここにおいて、該第２のＰＢＣＨ反復量は、図２−４を参照して上述されるように該第１のＰＢＣＨ反復量より大きい。ある複数の例において、ブロック１４１５の複数の動作は、図７を参照して上述されるように該ＰＢＣＨ反復レベルモジュール７１０によって実行され得る。
【０１３２】
[0152]ブロック１４２０において、ＵＥ１１５は、図２−４を参照して上述されるように該ＰＢＣＨ構成にしたがってＰＢＣＨ送信を受信し得る。ある複数の例において、ブロック１４２０の複数の動作は、図６を参照して上述されるように該ＰＢＣＨ受信モジュール６１５によって実行され得る。
【０１３３】
[0153]図１５は、本開示の様々な観点にしたがうＢＰＣＨカバレッジ拡張に関する方法１５００を図示するフローチャートを示す。方法１５００の複数の動作は、図１−１２を参照して説明されるようにそのコンポーネント又はＵＥ１１５によって実行され得る。例えば、方法１５００の複数の動作は、図５−８を参照して説明されるように該拡張型ＰＢＣＨモジュール５１０によって実行され得る。いくつかの例において、あるＵＥ１１５は、以下に説明される機能を実行するための該ＵＥ１１５の機能要素を制御するために、コードのセットを実行し得る。加えて又は代替として、該ＵＥ１１５は、特別の目的のハードウェアを使用して以下に説明される複数の機能、観点を実行し得る。該方法１５００はまた、図１３又は１４の方法１３００又は１４００の観点を組み込み得る。
【０１３４】
[0154]ブロック１５０５において、該ＵＥ１１５は、図２−４を参照して上述されるようにセルのシステム構成を識別し得る。例えば、該システム構成を識別することは、システム帯域幅を仮定することを備える。ある複数の例において、ブロック１５０５の複数の動作は、図６を参照して上述されるようにシステム構成モジュール６０５によって実行され得る。
【０１３５】
[0155]ブロック１５１０において、ＵＥ１１５は、図２−４を参照して上述されるように該システム構成に少なくとも部分的に基づいてＰＢＣＨ構成を決定し得る。いくつかのケースでは、ＰＢＣＨ構成は、該仮定されたシステム帯域幅に少なくとも部分的に基づいて決定される。ある例において、ブロック１５１０の複数の動作は、図６を参照して上述されるようにＰＢＣＨ構成モジュール６１０によって実行され得る。いくつかのケースでは、該ＵＥ１１５は、該仮定されたシステム帯域幅に対応する制御領域に関する多数のシンボルを決定し得、ここにおいて、該ＰＢＣＨ構成は、図２−４を参照して上述されるように該制御領域に関するシンボルの数に少なくとも部分的に基づく。ブロック１５１０の複数の動作は、図７を言及して上述されるように該制御領域モジュール７３０によって実行され得る。
【０１３６】
[0156]ブロック１５１５において、該ＵＥ１１５は、図２−４を参照して上述されるように該ＰＢＣＨ構成にしたがってＰＢＣＨ送信を受信し得る。ある例において、ブロック１５１５の複数の動作は、図６を参照して上述されるようも該ＰＢＣＨ受信モジュール６１５によって実行され得る。
【０１３７】
[0157]図１６は、本開示の様々な観点にしたがうＰＢＣＨカバレッジ拡張に関する方法１６００を図示するフローチャートを示す。方法１６００の複数の動作は、図１−１２を参照して説明されるように基地局１０５又はそのコンポーネントによってインプリメントされ得る。例えば、方法１６００の複数の動作は、図９−１２を参照して説明されるように該ＢＳ拡張型ＰＢＣＨモジュール９１０によって実行され得る。いくつかの例において、基地局１０５は、以下に説明される複数の機能を実行するための該基地局１０５の複数の機能要素を制御するためにコードのセットを実行し得る。加えて又は代替として、該基地局１０５は、特別の目的のハードウェアを使用して以下に説明される複数の機能、観点を実行し得る。
【０１３８】
[0158]ブロック１６０５において、該基地局１０５は、図２−４を参照して上述されるようにあるセルのシステム構成を識別し得る。ある例において、ブロック１６０５の複数の動作は、図６を参照して上述されるように該システム構成モジュール６０５によって実行され得る。
【０１３９】
[0159]ブロック１６１０において、該基地局１０５は、図２−４を参照して上述されるように該システム構成に少なくとも部分的に基づいてＰＢＣＨ構成を決定し得る。ある例において、ブロック１６１０の動作は、図６を参照して上述されるように該ＰＢＣＨ構成モジュール６１０によって実行され得る。
【０１４０】
[0160]ブロック１６１５において、該基地局１０５は、図２−４を参照して上述されるようにＰＢＣＨ構成にしたがって１つ又は複数のＵＥにＰＢＣＨ送信を送信し得る。ある例において、ブロック１６１５の複数の動作は、図１０を参照して上述されるようにＰＢＣＨ送信モジュール１０１５によって実行され得る。
【０１４１】
[0161]図１７は、本開示の様々な観点にしたがうＰＢＣＨカバレッジ拡張に関する方法１７００を図示するフローチャートを示す。方法１７００の複数の動作は、図１−１２を参照して説明されるように基地局１０５又はそのコンポーネントによってインプリメントされ得る。例えば、方法１７００の複数の動作は、図９−１２を参照して説明されるように該ＢＳ拡張型ＰＢＣＨモジュール９１０によって実行され得る。いくつかの例において、基地局１０５は、以下に説明される該基地局１０５の複数の機能要素を制御して複数の機能を実行するためのコードのセットを実行し得る。加えて又は代替として、該基地局１０５は、特別の目的のハードウェアを使用して以下に説明される機能、観点を実行し得る。該方法１７００はまた、図１６の方法１６００の観点を組み込み得る。
【０１４２】
[0162]ブロック１７０５において、基地局１０５は、図２−４を参照して上述されるようにセルのシステム構成を識別し得る。いくつかの場合では、システム構成を識別することは、ＴＤＤ又はＦＤＤスキームがシステムによって使用されているかどうかを識別することを備える。ある例において、ブロック１７０５の複数の動作は、図６を参照して上述されるように該システム構成モジュール６０５によって実行され得る。
【０１４３】
[0163]ブロック１７１０において、該基地局１０５は、図２−４を参照して上述されるように該システム構成に少なくとも部分的に基づいてＰＢＣＨ構成を決定し得る。いくつかのケースでは、該ＰＢＣＨ構成は、ＴＤＤ又はＦＤＤスキームがシステムによって使用されているかどうか少なくとも部分的に基づいて決定される。ある例において、ブロック１７１０の複数の動作は、図６を参照して上述されるように該ＰＢＣＨ構成モジュール６１０によって実行され得る。
【０１４４】
[0164]ブロック１７１５において、該基地局１０５は、図２−４を参照して上述されるように該ＦＤＤスキームに関する第１のＰＢＣＨ反復量を決定し得る。ある例において、ブロック１７１５の複数の動作は、図７を参照して上述されるように該ＰＢＣＨ反復レベルモジュール７１０によって実行され得る。
【０１４５】
[0165]ブロック１７２０において、該基地局１０５は、該ＴＤＤスキームに関する第２のＰＢＣＨ反復量を決定し得、ここにおいて、該第２のＰＢＣＨ反復量は、図２−４を参照して上述されるように該第１のＰＢＣＨ反復量より大きい。ある例において、ブロック１７２０の複数の動作は、図７を参照して上述されるように該ＰＢＣＨ反復レベルモジュール７１０によって実行され得る。
【０１４６】
[0166]ブロック１７２５において、該基地局１０５は、図２−４を参照して上述されるように該ＰＢＣＨ構成にしたがって１つ又は複数のＵＥにＰＢＣＨ送信を送信し得る。ある例において、ブロック１７２５の複数の動作は、図１０を参照して上述されるようにＰＢＣＨ送信モジュール１０１５によって実行され得る。
【０１４７】
[0167]図１８は、本開示の様々な観点にしたがう、ＰＢＣＨカバレッジ拡張に関する方法１８００を図示するフローチャートを示す。方法１８００の複数の動作は、図１−１２を参照して説明されるように基地局１０５又はそのコンポーネントによってインプリメントされ得る。例えば、方法１８００の複数の動作は、図９−１２を参照して説明されるように該ＢＳ拡張型ＰＢＣＨモジュール９１０によって実行され得る。いくつかの例において、基地局１０５は、該基地局１０５の複数の機能要素を制御して以下に説明される複数の機能を実行するためのコードのセットを実行し得る。加えて又は代替として、該基地局１０５は、特別の目的のハードウェアを使用して以下に説明される機能、観点を実行し得る。該方法１８００はまた、図１６又は１７の方法１６００又は１７００の観点を組み込み得る。
【０１４８】
[0168]ブロック１８０５において、基地局１０５は、図２−４を参照して上述されるようにセルのシステム構成を識別し得る。いくつかの場合では、システム構成を識別することは、システム帯域幅を識別することを備える。ある例において、ブロック１８０５の動作は、図６を参照して上述されるようにシステム構成モジュール６０５によって実行され得る。
【０１４９】
[0169]ブロック１８１０において、該基地局１０５は、図２−４を参照して上述されるように該システム構成に少なくとも部分的に基づいてＰＢＣＨ構成を決定し得る。いくつかのケースでは、該ＰＢＣＨ構成は、該システム帯域幅に少なくとも部分的に基づいて決定され得る。ある例において、ブロック１８１０の複数の動作は、図６を参照して上述されるように該ＰＢＣＨ構成モジュール６１０によって実行され得る。例えば、該基地局１０５は、該システム帯域幅に対応する制御領域に関する多数のシンボルを決定し得、ここにおいて、該ＰＢＣＨ構成は、図２−４を参照して上述されるように該制御領域に関するシンボルの数に少なくとも部分的に基づく。ある例において、ブロック１８１０の複数の動作は、図１１を参照して上述されるようにＢＳ制御領域モジュール１１３０によって実行され得る。
【０１５０】
[0170]ブロック１８１５において、該基地局１０５は、図２−４を参照して上述されるようにＰＢＣＨ構成にしたがって１つ又は複数のＵＥにＰＢＣＨ送信を送信し得る。ある例において、ブロック１８１５の複数の動作は、図１１を参照して上述されるように該ＰＢＣＨ送信モジュール１０１５によって実行され得る。
【０１５１】
[0171]このため、方法１３００、１４００、１５００、１６００、１７００、及び１８００は、ＰＢＣＨカバレッジ拡張を提供し得る。方法１３００、１４００、１５００、１６００、１７００、及び１８００は可能なインプリメンテーションを説明すること、該複数の動作及びステップは、他のインプリメンテーションが可能になるように、再配置又はそうでない場合は修正され得ることに留意されたい。いくつかの例において、方法１３００、１４００、１５００、１６００、１７００、及び１８００の２つ又より多くからの観点が組み合わされ得る。
【０１５２】
[0172]添付される図面に関連して上記される詳細な説明は、例示的な実施形態を説明し、実行され得る又は特許請求の範囲内にある全ての実施形態表してはいない。この説明において使用され得るように、「例示的（exemplary）」という用語は、「例、実例、又は図示としての役割を果たす」ことを意味し、「好ましい」または「他の実施形態よりも有利である」ことを意味しない。詳細な説明は、説明される技術の理解を提供することを目的として特定の詳細を含む。これらの技術は、しかしながら、これらの特定の詳細なしに実施され得る。いくつかの実例において、良く知られている構造及びデバイスは、説明される実施形態の概念を曖昧にすることを避けるために、ブロックダイアグラム形式で示される。
【０１５３】
[0173]情報および信号は、様々な異なる技術(technologies)及び技術(techniques)のうちの任意のもの使用して表わされ得る。例えば、上記の説明の全体にわたって参照され得る、データ、命令、コマンド、情報、信号、ビット、シンボル、及びチップは、電圧、電流、電磁波、磁場若しくは磁粒子、光場若しくは光学粒子、又はそれらの任意の組み合わせによって表わされ得る。
【０１５４】
[0174]ここでの開示に関連して説明される様々な例示的なブロック及びモジュールは、汎用プロセッサ、ＤＳＰ、ＡＳＩＣ、ＦＰＧＡ若しくは他のプログラマブル論理デバイス、離散ゲート若しくはトランジスタ論理、離散ハードウェアコンポーネント、又はここで説明される機能を実行するように設計されたそれらの任意の組み合わせ、を用いてインプリメント又は実行され得る。汎用プロセッサは、マイクロプロセッサであり得るが、代替において、プロセッサは、任意の従来のプロセッサ、コントローラ、マイクロコントローラ、又はステートマシン（state machine）であり得る。プロセッサはまた、計算デバイスの組み合わせ（例えば、ＤＳＰ及びマイクロプロセッサの組み合わせ、複数のマイクロプロセッサ、ＤＳＰコアと連携した１つ若しくは複数のマイクロプロセッサ、又は任意の他のそのような構成）としてインプリメントされ得る。
【０１５５】
[0175] ここで説明される機能は、ハードウェア、プロセッサによって実行されるソフトウェア、ファームウェア、又はそれらの任意の組み合わせ、でインプリメントされ得る。プロセッサによって実行されるソフトウェア内でインプリメントされる場合、機能は、コンピュータ可読媒体上で、１つ又は複数の命令又はコードとして記憶又は送信され得る。他の例及びインプリメンテーションは、開示及び添付の特許請求の範囲内にある。例えば、ソフトウェアの性質により、上述される機能は、プロセッサによって実行されるソフトウェア、ハードウェア、ファームウェア、ハードワイヤリング、又はこれらの任意の組み合わせを使用してインプリメントされることができる。機能をインプリメントする特徴はまた、機能の一部分が異なる物理的ロケーションにおいてインプリメントされるように分散されることを含めて、様々な位置に物理的に位置され得る。また、特許請求の範囲を含む、ここで使用される場合、項目のリスト（例えば、「のうちの少なくとも１つ」又は「のうちの１つ又は複数」のようなフレーズで始まる項目のリスト）において使用されるような「又は（or）」は、例えば、Ａ、Ｂ、又はＣのうちの少なくとも１つのリストが、Ａ、又はＢ、又はＣ、又はＡＢ、又はＡＣ、又はＢＣ、又はＡＢＣ（すなわち、Ａ及びＢ及びＣ）を意味するような包括的なリスト（inclusive list）を示す。
【０１５６】
[0176]コンピュータ可読媒体は、１つの場所からもう１つの場所へのコンピュータプログラムの転送を容易にする任意の媒体を含む非一時的なコンピュータ記憶媒体及び通信媒体の両方を含む。非一時的な記憶媒体は、汎用又は専用コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読み取り専用メモリ（ＥＥＰＲＯＭ（登録商標））、コンパクトディスク（ＣＤ）ＲＯＭ若しくは他の光ディスク記憶装置、磁気ディスク記憶装置若しくは他の磁気記憶デバイス、又はデータ構造または命令の形式で所望のプログラムコード手段を記憶または搬送するために使用されることができ、かつ汎用若しくは専用コンピュータ、又は汎用若しくは専用プロセッサによってアクセスされることができる任意の他の非一時的な媒体を備えることができる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、又は赤外線、無線、及びマイクロ波のようなワイヤレス技術を使用して、ウェブサイト、サーバ、又は他の遠隔ソースから送信される場合、同軸ケーブル、光ファイバーケーブル、ツイストペア、ＤＳＬ、又は赤外線、無線、及びマイクロ波のようなワイヤレス技術は、送信媒体の定義に含まれる。ここで使用される場合、ディスク（disk）及びディスク（disc）は、ＣＤ、レーザーディスク（登録商標）、光ディスク、デジタル多目的ディスク（ＤＶＤ）、フロッピー（登録商標）ディスク、及びブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１５７】
[0177]本開示の先の説明は、当業者が本開示を製造又は使用することを可能にするために提供される。本開示への様々な修正は、当業者にとって容易に明らかであり、ここに定義される一般的な原理は、本開示の範囲から逸脱することなく、他の変形形態に適用され得る。このため、本開示は、ここで説明される例及び設計に限定されるべきではなく、ここで開示される原理及び新規な特徴と一致する最も広い範囲を与えられることとなる。
【０１５８】
[0178]ここに説明される技術は、コード分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、及び他のシステムのような様々なワイヤレス通信システムのために使用され得る。
「システム」および「ネットワーク」という用語は、度々、交換可能に使用される。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、及びＩＳ−８５６規格をカバーする。ＩＳ−２０００リリース０及びＡは一般に、ＣＤＭＡ２０００ １Ｘ、１Ｘ、等と称される。ＩＳ−８５６（ＴＩＡ−８５６）は一般に、ＣＤＭＡ２０００ １ｘＥＶ−ＤＯ、高速パケットデータ（ＨＲＰＤ）、等と称される。ＵＴＲＡは、広帯域ＣＤＭＡ（ＷＣＤＭＡ（登録商標））及びＣＤＭＡの他の変種を含む。ＴＤＭＡシステムは、モバイル通信に関するグローバルシステム（ＧＳＭ（登録商標））のような無線技術をインプリメントし得る。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ-Ｆｉ）、ＩＥＥＥ８０２．１６（ＷｉＭａｘ）、ＩＥＥＥ８０２．２０、Ｆｌａｓｈ−ＯＦＤＭ、等の無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）及びＬＴＥ−Ａｄｖａｎｃｅｄ（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、及びモバイル通信に関するグローバルシステム（ＧＳＭ）は、「第３世代パートナーシッププロジェクト」（３ＧＰＰ）と命名される組織からの文書で説明される。ＣＤＭＡ２０００及びＵＭＢは、「第３世代パートナーシッププロジェクト２」（３ＧＰＰ２）と命名される組織からの文書で説明される。ここで説明される技術は、上記システム及び無線技術と同様に他のシステム及び無線技術に対して使用され得る。上記の説明は、しかしながら、例の目的でＬＴＥシステムを説明しており、ＬＴＥという専門用語が上記の説明のほとんどにおいて使用されているけれども、その技術はＬＴＥアプリケーションを超えて適用可能である。
【図１】
2017538340.tif 000003
【図２】
2017538340.tif 000004
【図３Ａ】
2017538340.tif 000005
【図３Ｂ】
2017538340.tif 000006
【図３Ｃ】
2017538340.tif 000007
【図３Ｄ】
2017538340.tif 000008
【図４】
2017538340.tif 000009
【図５】
2017538340.tif 000010
【図６】
2017538340.tif 000011
【図７】
2017538340.tif 000012
【図８】
2017538340.tif 000013
【図９】
2017538340.tif 000014
【図１０】
2017538340.tif 000015
【図１１】
2017538340.tif 000016
【図１２】
2017538340.tif 000017
【図１３】
2017538340.tif 000018
【図１４】
2017538340.tif 000019
【図１５】
2017538340.tif 000020
【図１６】
2017538340.tif 000021
【図１７】
2017538340.tif 000022
【図１８】
2017538340.tif 000023
【国際調査報告】
2017538340.tif 000024
2017538340.tif 000025
2017538340.tif 000026